(57)【要約】  将来の生活習慣病リスクを知る上で参考となり得る信頼性の高い情報を提供することができる評価方法などを提供することを課題とする。本実施形態に係る評価方法は、評価対象から採取した血液中のアミノ酸の濃度値に関するアミノ酸濃度データを取得する取得ステップと、取得ステップで取得した評価対象のアミノ酸濃度データに含まれているアミノ酸の濃度値を用いて、評価対象について、将来の生活習慣病リスクを評価する評価ステップと、を含む。
2016056631.tif 000002
【特許請求の範囲】
【請求項１】
評価対象から採取した血液中のアミノ酸の濃度値に関するアミノ酸濃度データに含まれているアミノ酸の濃度値を用いて、前記評価対象について、将来の生活習慣病リスクを評価する評価ステップ
を含むことを特徴とする評価方法。
【請求項２】
前記評価ステップでは、前記アミノ酸濃度データに含まれているアミノ酸の濃度値又は当該濃度値の変換後の値が、所定値より低い若しくは所定値以下の場合又は所定値以上若しくは所定値より高い場合に、前記評価対象について、将来の生活習慣病リスクを評価すること、
を特徴とする請求項１に記載の評価方法。
【請求項３】
前記アミノ酸濃度データは、Ｈｉｓ、Ｉｌｅ、Ｌｅｕ、Ｌｙｓ、Ｍｅｔ、Ｐｈｅ、Ｔｈｒ、Ｔｒｐ、Ｖａｌ、及びＡｒｇの濃度値を含むこと、
を特徴とする請求項１又は２に記載の評価方法。
【請求項４】
前記評価ステップでは、Ｈｉｓ、Ｉｌｅ、Ｌｅｕ、Ｌｙｓ、Ｍｅｔ、Ｐｈｅ、Ｔｈｒ、Ｔｒｐ、Ｖａｌ、及びＡｒｇのうちの少なくとも１つのアミノ酸の濃度値又は当該濃度値の変換後の値が、所定値より低い若しくは所定値以下の場合又は所定値以上若しくは所定値より高い場合に、前記評価対象について、脳梗塞、貧血、心房細動及び不整脈のうち少なくとも１つを将来発症するリスクを評価すること、
を特徴とする請求項３に記載の評価方法。
【請求項５】
前記評価ステップでは、
（１）Ｌｙｓ、Ｌｅｕ及びＴｒｐのうちの少なくとも１つのアミノ酸の濃度値又は当該濃度値の変換後の値が所定値より低い又は所定値以下の場合に、貧血を将来発症するリスクを評価する、
（２）Ｈｉｓ、Ｍｅｔ及びＰｈｅのうちの少なくとも１つのアミノ酸の濃度値又は当該濃度値の変換後の値が所定値より低い又は所定値以下の場合に、脳梗塞を将来発症するリスクを評価する、及び
（３）Ｔｈｒ又はＡｒｇの濃度値又は当該濃度値の変換後の値が所定値より低い又は所定値以下の場合に、心房細動及び／又は不整脈を将来発症するリスクを評価する、
のうち少なくとも１つを行うこと、
を特徴とする請求項２又は４に記載の評価方法。
【請求項６】
前記変換後の値は、アミノ酸の濃度値を偏差値化した後の値であるアミノ酸濃度偏差値であり、
前記評価ステップでは、前記アミノ酸濃度偏差値が用いられること、
を特徴とする請求項２から５のいずれか１つに記載の評価方法。
【請求項７】
制御部を備えた評価装置であって、
前記制御部は、
血液中のアミノ酸の濃度値に関する評価対象のアミノ酸濃度データに含まれているアミノ酸の濃度値を用いて、前記評価対象について、将来の生活習慣病リスクを評価する評価手段
を備えたこと、
を特徴とする評価装置。
【請求項８】
制御部を備えた情報処理装置において実行される評価方法であって、
前記制御部において実行される、
血液中のアミノ酸の濃度値に関する評価対象のアミノ酸濃度データに含まれているアミノ酸の濃度値を用いて、前記評価対象について、将来の生活習慣病リスクを評価する評価ステップ
を含むこと、
を特徴とする評価方法。
【請求項９】
制御部を備えた情報処理装置において実行させるための評価プログラムであって、
前記制御部において実行させるための、
血液中のアミノ酸の濃度値に関する評価対象のアミノ酸濃度データに含まれているアミノ酸の濃度値を用いて、前記評価対象について、将来の生活習慣病リスクを評価する評価ステップ
を含むこと、
を特徴とする評価プログラム。
【請求項１０】
制御部を備えた評価装置と、制御部を備え、血液中のアミノ酸の濃度値に関する評価対象のアミノ酸濃度データを提供する端末装置とを、ネットワークを介して通信可能に接続して構成された評価システムであって、
前記端末装置の前記制御部は、
前記評価対象の前記アミノ酸濃度データを前記評価装置へ送信するアミノ酸濃度データ送信手段と、
前記評価装置から送信された、前記評価対象についての将来の生活習慣病リスクに関する評価結果を受信する結果受信手段と
を備え、
前記評価装置の前記制御部は、
前記端末装置から送信された前記評価対象の前記アミノ酸濃度データを受信するアミノ酸濃度データ受信手段と、
前記アミノ酸濃度データ受信手段で受信した前記評価対象の前記アミノ酸濃度データに含まれているアミノ酸の濃度値を用いて、前記評価対象について、将来の生活習慣病リスクを評価する評価手段と、
前記評価手段で得られた前記評価結果を前記端末装置へ送信する結果送信手段と、
を備えたこと、
を特徴とする評価システム。
【請求項１１】
制御部を備えた端末装置であって、
前記制御部は、
評価対象についての将来の生活習慣病リスクに関する評価結果を取得する結果取得手段
を備え、
前記評価結果は、血液中のアミノ酸の濃度値に関する前記評価対象のアミノ酸濃度データに含まれているアミノ酸の濃度値を用いて、前記評価対象について、将来の生活習慣病リスクを評価した結果であること、
を特徴とする端末装置。
【請求項１２】
血液中のアミノ酸の濃度値に関する評価対象のアミノ酸濃度データを提供する端末装置とネットワークを介して通信可能に接続された、制御部を備えた評価装置であって、
前記制御部は、
前記端末装置から送信された前記評価対象の前記アミノ酸濃度データを受信するアミノ酸濃度データ受信手段と、
前記アミノ酸濃度データ受信手段で受信した前記評価対象の前記アミノ酸濃度データに含まれているアミノ酸の濃度値を用いて、前記評価対象について、将来の生活習慣病リスクを評価する評価手段と、
前記評価手段で得られた評価結果を前記端末装置へ送信する結果送信手段と、
を備えたこと、
を特徴とする評価装置。
【発明の詳細な説明】
【技術分野】
【０００１】
本発明は、将来の生活習慣病リスクの評価方法、評価装置、評価プログラム、評価システム、及び端末装置に関するものである。
【背景技術】
【０００２】
バイオマーカーの試験は、近年のゲノム解析やポストゲノム試験の発展によって急速に進展し、疾病の予防・診断・予後推定などにおいて広く活用されつつある。試験が盛んに行われているバイオマーカーとしては、遺伝子情報に基づいたゲノミクス及びトランスクリプトミクス、タンパク質情報に基づいたプロテオミクス、並びに、代謝物情報に基づいたメタボロミクスがある。【０００３】
しかし、ゲノミクス及びトランスクリプトミクスについては、遺伝的な要因は反映されるが環境要因は反映されないという問題がある。また、プロテオミクスについては、数多くの種類のタンパク質を解析する必要があるので、分析手法や網羅的な解析法において未だ多くの課題が残されているという問題がある。また、メタボロミクスについては、遺伝的要因の他にも環境要因も反映されたバイオマーカーであるという点でその期待は大きいが、代謝物の数が多いが故に、網羅的な解析法において未だ多くの課題が残されているという問題がある。【０００４】
そこで、新規のバイオマーカーとして、生体内の代謝物の中でも代謝経路の中心的存在であるアミノ酸が着目されている。【０００５】
ここで、肝不全や腎不全などの疾患においてアミノ酸濃度が変動することが報告されている（非特許文献１−２）。【０００６】
また、先行特許として、アミノ酸濃度と生体状態とを関連付ける方法に関する特許文献１−３が公開されている。また、先行特許として、アミノ酸濃度を用いてメタボリックシンドロームの状態を評価する方法に関する特許文献４や、アミノ酸濃度を用いて内臓脂肪蓄積の状態を評価する方法に関する特許文献５、アミノ酸濃度を用いて耐糖能異常の状態を評価する方法に関する特許文献６、アミノ酸濃度を用いてＢＭＩ（Ｂｏｄｙ  Ｍａｓｓ  Ｉｎｄｅｘ）およびＶＦＡ（Ｖｉｓｃｅｒａｌ  Ｆａｔ  Ａｒｅａ）で定義される見掛け肥満、隠れ肥満および肥満のうち少なくとも１つの状態を評価する方法に関する特許文献７、アミノ酸濃度を用いて脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する方法に関する特許文献８、アミノ酸濃度を用いて早期腎症の状態（例えば、将来、早期腎症を発症するか）を評価する方法に関する特許文献９、及び、アミノ酸濃度を用いて心血管イベントの将来の状態を評価する方法に関する特許文献１０が公開されている。
【先行技術文献】
【特許文献】
【０００７】
【特許文献１】国際公開第２００４／０５２１９１号
【特許文献２】国際公開第２００６／０９８１９２号
【特許文献３】国際公開第２００９／０５４３５１号
【特許文献４】国際公開第２００８／０１５９２９号
【特許文献５】国際公開第２００９／００１８６２号
【特許文献６】国際公開第２００９／０５４３５０号
【特許文献７】国際公開第２０１０／０９５６８２号
【特許文献８】国際公開第２０１３／００２３８１号
【特許文献９】国際公開第２０１３／１１５２８３号
【特許文献１０】特開２０１３−１７８２３８号公報
【非特許文献】
【０００８】
【非特許文献１】Ｒｏｓｅｎ  ＨＭ，  Ｙｏｓｈｉｍｕｒａ  Ｎ，  Ｈｏｄｇｍａｎ  ＪＭ，  ｅｔ  ａｌ．，“Ｐｌａｓｍａ  ａｍｉｎｏ  ａｃｉｄ  ｐａｔｔｅｒｎｓ  ｉｎ  ｈｅｐａｔｉｃ  ｅｎｃｅｐｈａｌｏｐａｔｈｙ  ｏｆ  ｄｉｆｆｅｒｉｎｇ  ｅｔｉｏｌｏｇｙ”，  Ｇａｓｔｒｏｅｎｔｅｒｏｌｏｇｙ，  １９７７，  ７２，  ４８３−４８７
【非特許文献２】Ｓｕｌｉｍａｎ  ＭＥ，  Ｑｕｒｅｓｈｉ  ＡＲ，  Ｓｔｅｎｖｉｎｋｅｌ  Ｐ，  ｅｔ  ａｌ．，“Ｉｎｆｌａｍｍａｔｉｏｎ  ｃｏｎｔｒｉｂｕｔｅｓ  ｔｏ  ｌｏｗ  ｐｌａｓｍａ  ａｍｉｎｏ  ａｃｉｄ  ｃｏｎｃｅｎｔｒａｔｉｏｎｓ  ｉｎ  ｐａｔｉｅｎｔｓ  ｗｉｔｈ  ｃｈｒｏｎｉｃ  ｋｉｄｎｅｙ  ｄｉｓｅａｓｅ”，  Ａｍ．  Ｊ．  Ｃｌｉｎ．  Ｎｕｔｒ．，  ２００５，  ８２，  ３４２−３４９
【非特許文献３】Ｄｅｓｐｒｅｓ  ＪＰ，  Ｌｅｍｉｅｕｘ  Ｉ，“Ａｂｄｏｍｉｎａｌ  ｏｂｅｓｉｔｙ  ａｎｄ  ｍｅｔａｂｏｌｉｃ  ｓｙｎｄｒｏｍｅ”，  Ｎａｔｕｒｅ，  ２００６，  ４４４，  ８８１−８８７
【非特許文献４】Ｖａｎ  Ｇａａｌ  ＬＦ，  Ｍｅｒｔｅｎｓ  ＩＬ，  Ｄｅ  Ｂｌｏｃｋ  ＣＥ，“Ｍｅｃｈａｎｉｓｍｓ  ｌｉｎｋｉｎｇ  ｏｂｅｓｉｔｙ  ｗｉｔｈ  ｃａｒｄｉｏｖａｓｃｕｌａｒ  ｄｉｓｅａｓｅ”，  Ｎａｔｕｒｅ，  ２００６，  ４４４，  ８７５−８８０
【発明の概要】
【発明が解決しようとする課題】
【０００９】
しかしながら、予防医学の観点から、生活習慣病の指標（例えば、メタボリックシンドロームを主な原因として発生し得る生活習慣病のリスク要因（例えば、内臓脂肪蓄積、インスリン抵抗性、及び脂肪肝など）など）の状態の評価に有用な臨床的意義の高いアミノ酸を探索することは行われておらず、故に、生活習慣病の指標の状態を、アミノ酸濃度を用いて高精度且つ体系的に評価する方法の開発は行われていない、という問題点があった。例えば、メタボリックシンドロームの進行が将来的に心血管イベントや脳血管イベントといった重篤な疾患をもたらすことは知られているが、血中アミノ酸プロファイルを用いたこれらのイベントの予防法の探索は行われていない（非特許文献３，４参照）。【００１０】
また、特許文献１〜１０に記載されている血中アミノ酸濃度を用いた生体状態評価においては、生活習慣病の指標の状態の評価に有用な臨床的意義の高いアミノ酸の情報を活用する実例は示されているが、個人間で挙動の異なる複数のアミノ酸の情報を１次元に圧縮することで、個々のアミノ酸の挙動に関する情報は失われてしまう問題点があった。よって、より個別的に個々の血中アミノ酸濃度の挙動から、例えばメタボリックシンドロームの進行がもたらす将来的に心血管イベントや脳血管イベントといった重篤な疾患のイベント予測を行う必要がある。【００１１】
本発明は、上記問題点に鑑みてなされたもので、将来の生活習慣病リスクを知る上で参考となり得る信頼性の高い情報を提供することができる評価方法、評価装置、評価プログラム、評価システム、及び端末装置を提供することを目的とする。
【課題を解決するための手段】
【００１２】
上述した課題を解決し、目的を達成するために、本発明にかかる評価方法は、評価対象から採取した血液中のアミノ酸の濃度値に関するアミノ酸濃度データに含まれているアミノ酸の濃度値を用いて、前記評価対象について、将来の生活習慣病リスクを評価する評価ステップを含むことを特徴とする。【００１３】
ここで、本明細書では各種アミノ酸を主に略称で表記するが、それらの正式名称は以下の通りである。
（略称）  （正式名称）
ａ−ＡＢＡ  α−Ａｍｉｎｏｂｕｔｙｒｉｃ  ａｃｉｄ
Ａｌａ  Ａｌａｎｉｎｅ
Ａｒｇ  Ａｒｇｉｎｉｎｅ
Ａｓｎ  Ａｓｐａｒａｇｉｎｅ
Ｃｉｔ  Ｃｉｔｒｕｌｌｉｎｅ
Ｇｌｎ  Ｇｌｕｔａｍｉｎｅ
Ｇｌｕ  Ｇｌｕｔａｍｉｃ  ａｃｉｄ
Ｇｌｙ  Ｇｌｙｃｉｎｅ
Ｈｉｓ  Ｈｉｓｔｉｄｉｎｅ
Ｉｌｅ  Ｉｓｏｌｅｕｃｉｎｅ
Ｌｅｕ  Ｌｅｕｃｉｎｅ
Ｌｙｓ  Ｌｙｓｉｎｅ
Ｍｅｔ  Ｍｅｔｈｉｏｎｉｎｅ
Ｏｒｎ  Ｏｒｎｉｔｈｉｎｅ
Ｐｈｅ  Ｐｈｅｎｙｌａｌａｎｉｎｅ
Ｐｒｏ  Ｐｒｏｌｉｎｅ
Ｓｅｒ  Ｓｅｒｉｎｅ
Ｔｈｒ  Ｔｈｒｅｏｎｉｎｅ
Ｔｒｐ  Ｔｒｙｐｔｏｐｈａｎ
Ｔｙｒ  Ｔｙｒｏｓｉｎｅ
Ｖａｌ  Ｖａｌｉｎｅ
必須アミノ酸とは、Ｈｉｓ、Ｉｌｅ、Ｌｅｕ、Ｌｙｓ，Ｍｅｔ，Ｐｈｅ、Ｔｈｒ、Ｔｒｐ、Ｖａｌのことである。また、準必須アミノ酸とは、Ａｒｇのことであるが、Ｃｙｓ（システイン）とＴｙｒを更に含める場合もある。
また、本発明において、生活習慣病とは、食習慣、運動習慣、休養、喫煙、飲酒等の生活習慣が、その発症・進行に関与する疾患群のことであり、例えば、高血圧症、脂肪肝、高リスク脂肪肝、糖尿病、耐糖能異常、肥満、高度肥満、脂質異常症、慢性腎症、動脈硬化症、脳梗塞、心疾患、メタボリックシンドローム、交感神経疾患、炎症性疾患、貧血、タンパク栄養不良、免疫低下、肥満体格、呼吸器疾患、循環器疾患、高血圧、腎・尿路疾患、胃・腸疾患、肝臓疾患、胆・膵疾患、糖代謝疾患、脂質代謝疾患、尿酸代謝疾患、血液疾患、血清疾患、眼科疾患、聴力異常、泌尿器系疾患、腫瘍マーカー高値、婦人科系疾患、乳房疾患、脳疾患、骨塩量低下、心房細動、不整脈などが挙げられる。【００１４】
また、本発明にかかる評価方法は、前記の評価方法において、前記評価ステップでは、前記アミノ酸濃度データに含まれているアミノ酸の濃度値又は当該濃度値の変換後の値が、所定値より低い若しくは所定値以下の場合又は所定値以上若しくは所定値より高い場合に、前記評価対象について、将来の生活習慣病リスクを評価すること、を特徴とする。【００１５】
また、本発明にかかる評価方法は、前記の評価方法において、前記アミノ酸濃度データは、Ｈｉｓ、Ｉｌｅ、Ｌｅｕ、Ｌｙｓ、Ｍｅｔ、Ｐｈｅ、Ｔｈｒ、Ｔｒｐ、Ｖａｌ、及びＡｒｇの濃度値を含むこと、を特徴とする。【００１６】
また、本発明にかかる評価方法は、前記の評価方法において、前記評価ステップでは、Ｈｉｓ、Ｉｌｅ、Ｌｅｕ、Ｌｙｓ、Ｍｅｔ、Ｐｈｅ、Ｔｈｒ、Ｔｒｐ、Ｖａｌ、及びＡｒｇのうちの少なくとも１つのアミノ酸の濃度値又は当該濃度値の変換後の値が、所定値より低い若しくは所定値以下の場合又は所定値以上若しくは所定値より高い場合に、前記評価対象について、脳梗塞、貧血、心房細動及び不整脈のうち少なくとも１つを将来発症するリスクを評価すること、を特徴とする。【００１７】
また、本発明にかかる評価方法は、前記の評価方法において、前記評価ステップでは、（１）Ｌｙｓ、Ｌｅｕ及びＴｒｐのうちの少なくとも１つのアミノ酸の濃度値又は当該濃度値の変換後の値が所定値より低い又は所定値以下の場合に、貧血を将来発症するリスクを評価する、（２）Ｈｉｓ、Ｍｅｔ及びＰｈｅのうちの少なくとも１つのアミノ酸の濃度値又は当該濃度値の変換後の値が所定値より低い又は所定値以下の場合に、脳梗塞を将来発症するリスクを評価する、及び（３）Ｔｈｒ又はＡｒｇの濃度値又は当該濃度値の変換後の値が所定値より低い又は所定値以下の場合に、心房細動及び／又は不整脈を将来発症するリスクを評価する、のうち少なくとも１つを行うこと、を特徴とする。【００１８】
また、本発明にかかる評価方法は、前記の評価方法において、前記変換後の値は、アミノ酸の濃度値を偏差値化した後の値であるアミノ酸濃度偏差値であり、前記評価ステップでは、前記アミノ酸濃度偏差値が用いられること、を特徴とする。【００１９】
また、本発明にかかる評価装置は、制御部を備えた評価装置であって、前記制御部は、血液中のアミノ酸の濃度値に関する評価対象のアミノ酸濃度データに含まれているアミノ酸の濃度値を用いて、前記評価対象について、将来の生活習慣病リスクを評価する評価手段を備えたこと、を特徴とする。【００２０】
また、本発明にかかる評価方法は、制御部を備えた情報処理装置において実行される評価方法であって、前記制御部において実行される、血液中のアミノ酸の濃度値に関する評価対象のアミノ酸濃度データに含まれているアミノ酸の濃度値を用いて、前記評価対象について、将来の生活習慣病リスクを評価する評価ステップを含むこと、を特徴とする。【００２１】
また、本発明にかかる評価プログラムは、制御部を備えた情報処理装置において実行させるための評価プログラムであって、前記制御部において実行させるための、血液中のアミノ酸の濃度値に関する評価対象のアミノ酸濃度データに含まれているアミノ酸の濃度値を用いて、前記評価対象について、将来の生活習慣病リスクを評価する評価ステップを含むこと、を特徴とする。【００２２】
また、本発明にかかる記録媒体は、一時的でないコンピュータ読み取り可能な記録媒体であって、情報処理装置に前記評価方法を実行させるためのプログラム化された命令を含むこと、を特徴とする。【００２３】
また、本発明にかかる評価システムは、制御部を備えた評価装置と、制御部を備え、血液中のアミノ酸の濃度値に関する評価対象のアミノ酸濃度データを提供する端末装置とを、ネットワークを介して通信可能に接続して構成された評価システムであって、前記端末装置の前記制御部は、前記評価対象の前記アミノ酸濃度データを前記評価装置へ送信するアミノ酸濃度データ送信手段と、前記評価装置から送信された、前記評価対象についての将来の生活習慣病リスクに関する評価結果を受信する結果受信手段とを備え、前記評価装置の前記制御部は、前記端末装置から送信された前記評価対象の前記アミノ酸濃度データを受信するアミノ酸濃度データ受信手段と、前記アミノ酸濃度データ受信手段で受信した前記評価対象の前記アミノ酸濃度データに含まれているアミノ酸の濃度値を用いて、前記評価対象について、将来の生活習慣病リスクを評価する評価手段と、前記評価手段で得られた前記評価結果を前記端末装置へ送信する結果送信手段と、を備えたこと、を特徴とする。【００２４】
また、本発明にかかる端末装置は、制御部を備えた端末装置であって、前記制御部は、評価対象についての将来の生活習慣病リスクに関する評価結果を取得する結果取得手段を備え、前記評価結果は、血液中のアミノ酸の濃度値に関する前記評価対象のアミノ酸濃度データに含まれているアミノ酸の濃度値を用いて、前記評価対象について、将来の生活習慣病リスクを評価した結果であること、を特徴とする。【００２５】
また、本発明にかかる端末装置は、前記の端末装置において、前記評価対象について将来の生活習慣病リスクを評価する評価装置とネットワークを介して通信可能に接続して構成されており、前記制御部は、前記評価対象の前記アミノ酸濃度データを前記評価装置へ送信するアミノ酸濃度データ送信手段をさらに備え、前記結果取得手段は、前記評価装置から送信された前記評価結果を受信すること、を特徴とする。【００２６】
また、本発明にかかる評価装置は、血液中のアミノ酸の濃度値に関する評価対象のアミノ酸濃度データを提供する端末装置とネットワークを介して通信可能に接続された、制御部を備えた評価装置であって、前記制御部は、前記端末装置から送信された前記評価対象の前記アミノ酸濃度データを受信するアミノ酸濃度データ受信手段と、前記アミノ酸濃度データ受信手段で受信した前記評価対象の前記アミノ酸濃度データに含まれているアミノ酸の濃度値を用いて、前記評価対象について、将来の生活習慣病リスクを評価する評価手段と、前記評価手段で得られた評価結果を前記端末装置へ送信する結果送信手段と、を備えたこと、を特徴とする。
【発明の効果】
【００２７】
本発明によれば、評価対象から採取した血液中のアミノ酸の濃度値に関するアミノ酸濃度データに含まれているアミノ酸の濃度値を用いて、評価対象について将来の生活習慣病リスクを評価するので、将来の生活習慣病リスクを知る上で参考となり得る信頼性の高い情報を提供することができるという効果を奏する。【００２８】
また、本発明は、将来の生活習慣病リスク（将来、生活習慣病を発症する可能性の程度）を評価することにより、生活習慣病を発症する前段階または生活習慣病の初期段階でリスクを把握することができ、生活習慣病の予防に繋がる。【００２９】
また、本発明は、血液中のアミノ酸の濃度値を考慮することで、将来の生活習慣病リスクを減らすための提案（薬物、アミノ酸、食品、サプリメント等の摂取、食事及び／又は運動等を含めたメニュー提案等）を行うことができる。
【図面の簡単な説明】
【００３０】
【図１】図１は、第１実施形態の基本原理を示す原理構成図である。
【図２】図２は、第２実施形態の基本原理を示す原理構成図である。
【図３】図３は、本システムの全体構成の一例を示す図である。
【図４】図４は、本システムの全体構成の他の一例を示す図である。
【図５】図５は、本システムの評価装置１００の構成の一例を示すブロック図である。
【図６】図６は、利用者情報ファイル１０６ａに格納される情報の一例を示す図である。
【図７】図７は、アミノ酸濃度データファイル１０６ｂに格納される情報の一例を示す図である。
【図８】図８は、指標状態情報ファイル１０６ｃに格納される情報の一例を示す図である。
【図９】図９は、指定指標状態情報ファイル１０６ｄに格納される情報の一例を示す図である。
【図１０】図１０は、候補式ファイル１０６ｅ１に格納される情報の一例を示す図である。
【図１１】図１１は、検証結果ファイル１０６ｅ２に格納される情報の一例を示す図である。
【図１２】図１２は、選択指標状態情報ファイル１０６ｅ３に格納される情報の一例を示す図である。
【図１３】図１３は、評価式ファイル１０６ｅ４に格納される情報の一例を示す図である。
【図１４】図１４は、評価結果ファイル１０６ｆに格納される情報の一例を示す図である。
【図１５】図１５は、評価式作成部１０２ｈの構成を示すブロック図である。
【図１６】図１６は、評価部１０２ｉの構成を示すブロック図である。
【図１７】図１７は、本システムのクライアント装置２００の構成の一例を示すブロック図である。
【図１８】図１８は、本システムのデータベース装置４００の構成の一例を示すブロック図である。
【図１９】図１９は、本システムの評価装置１００で行う評価式作成処理の一例を示すフローチャートである。
【図２０】図２０は、背景因子無調整時のオッズ比一覧を示す図である。
【図２１】図２１は、背景因子無調整時のオッズ比一覧を示す図である。
【図２２】図２２は、背景因子無調整時のオッズ比一覧を示す図である。
【図２３】図２３は、背景因子無調整時のオッズ比一覧を示す図である。
【図２４】図２４は、背景因子無調整時のオッズ比一覧を示す図である。
【図２５】図２５は、背景因子無調整時のオッズ比一覧を示す図である。
【図２６】図２６は、背景因子無調整時のオッズ比一覧を示す図である。
【図２７】図２７は、背景因子無調整時のオッズ比一覧を示す図である。
【図２８】図２８は、背景因子無調整時のオッズ比一覧を示す図である。
【図２９】図２９は、背景因子無調整時のオッズ比一覧を示す図である。
【図３０】図３０は、背景因子無調整時のオッズ比一覧を示す図である。
【図３１】図３１は、背景因子無調整時のオッズ比一覧を示す図である。
【図３２】図３２は、背景因子無調整時のオッズ比一覧を示す図である。
【図３３】図３３は、背景因子無調整時のオッズ比一覧を示す図である。
【図３４】図３４は、背景因子無調整時のオッズ比一覧を示す図である。
【図３５】図３５は、性別調整オッズ比一覧を示す図である。
【図３６】図３６は、性別調整オッズ比一覧を示す図である。
【図３７】図３７は、性別調整オッズ比一覧を示す図である。
【図３８】図３８は、性別調整オッズ比一覧を示す図である。
【図３９】図３９は、性別調整オッズ比一覧を示す図である。
【図４０】図４０は、性別調整オッズ比一覧を示す図である。
【図４１】図４１は、性別調整オッズ比一覧を示す図である。
【図４２】図４２は、性別調整オッズ比一覧を示す図である。
【図４３】図４３は、性別調整オッズ比一覧を示す図である。
【図４４】図４４は、性別調整オッズ比一覧を示す図である。
【図４５】図４５は、性別調整オッズ比一覧を示す図である。
【図４６】図４６は、性別調整オッズ比一覧を示す図である。
【図４７】図４７は、性別調整オッズ比一覧を示す図である。
【図４８】図４８は、性別調整オッズ比一覧を示す図である。
【図４９】図４９は、性別調整オッズ比一覧を示す図である。
【図５０】図５０は、年齢調整オッズ比一覧を示す図である。
【図５１】図５１は、年齢調整オッズ比一覧を示す図である。
【図５２】図５２は、年齢調整オッズ比一覧を示す図である。
【図５３】図５３は、年齢調整オッズ比一覧を示す図である。
【図５４】図５４は、年齢調整オッズ比一覧を示す図である。
【図５５】図５５は、年齢調整オッズ比一覧を示す図である。
【図５６】図５６は、年齢調整オッズ比一覧を示す図である。
【図５７】図５７は、年齢調整オッズ比一覧を示す図である。
【図５８】図５８は、年齢調整オッズ比一覧を示す図である。
【図５９】図５９は、年齢調整オッズ比一覧を示す図である。
【図６０】図６０は、年齢調整オッズ比一覧を示す図である。
【図６１】図６１は、年齢調整オッズ比一覧を示す図である。
【図６２】図６２は、年齢調整オッズ比一覧を示す図である。
【図６３】図６３は、年齢調整オッズ比一覧を示す図である。
【図６４】図６４は、ＢＭＩ調整オッズ比一覧を示す図である。
【図６５】図６５は、ＢＭＩ調整オッズ比一覧を示す図である。
【図６６】図６６は、ＢＭＩ調整オッズ比一覧を示す図である。
【図６７】図６７は、ＢＭＩ調整オッズ比一覧を示す図である。
【図６８】図６８は、ＢＭＩ調整オッズ比一覧を示す図である。
【図６９】図６９は、ＢＭＩ調整オッズ比一覧を示す図である。
【図７０】図７０は、ＢＭＩ調整オッズ比一覧を示す図である。
【図７１】図７１は、ＢＭＩ調整オッズ比一覧を示す図である。
【図７２】図７２は、ＢＭＩ調整オッズ比一覧を示す図である。
【図７３】図７３は、ＢＭＩ調整オッズ比一覧を示す図である。
【図７４】図７４は、ＢＭＩ調整オッズ比一覧を示す図である。
【図７５】図７５は、性別・年齢調整オッズ比一覧を示す図である。
【図７６】図７６は、性別・年齢調整オッズ比一覧を示す図である。
【図７７】図７７は、性別・年齢調整オッズ比一覧を示す図である。
【図７８】図７８は、性別・年齢調整オッズ比一覧を示す図である。
【図７９】図７９は、性別・年齢調整オッズ比一覧を示す図である。
【図８０】図８０は、性別・年齢調整オッズ比一覧を示す図である。
【図８１】図８１は、性別・年齢調整オッズ比一覧を示す図である。
【図８２】図８２は、性別・年齢調整オッズ比一覧を示す図である。
【図８３】図８３は、性別・年齢調整オッズ比一覧を示す図である。
【図８４】図８４は、性別・年齢調整オッズ比一覧を示す図である。
【図８５】図８５は、性別・年齢調整オッズ比一覧を示す図である。
【図８６】図８６は、性別・年齢調整オッズ比一覧を示す図である。
【図８７】図８７は、性別・年齢調整オッズ比一覧を示す図である。
【図８８】図８８は、性別・年齢調整オッズ比一覧を示す図である。
【図８９】図８９は、性別・ＢＭＩ調整オッズ比一覧を示す図である。
【図９０】図９０は、性別・ＢＭＩ調整オッズ比一覧を示す図である。
【図９１】図９１は、性別・ＢＭＩ調整オッズ比一覧を示す図である。
【図９２】図９２は、性別・ＢＭＩ調整オッズ比一覧を示す図である。
【図９３】図９３は、性別・ＢＭＩ調整オッズ比一覧を示す図である。
【図９４】図９４は、性別・ＢＭＩ調整オッズ比一覧を示す図である。
【図９５】図９５は、性別・ＢＭＩ調整オッズ比一覧を示す図である。
【図９６】図９６は、性別・ＢＭＩ調整オッズ比一覧を示す図である。
【図９７】図９７は、性別・ＢＭＩ調整オッズ比一覧を示す図である。
【図９８】図９８は、性別・ＢＭＩ調整オッズ比一覧を示す図である。
【図９９】図９９は、性別・ＢＭＩ調整オッズ比一覧を示す図である。
【図１００】図１００は、年齢・ＢＭＩ調整オッズ比一覧を示す図である。
【図１０１】図１０１は、年齢・ＢＭＩ調整オッズ比一覧を示す図である。
【図１０２】図１０２は、年齢・ＢＭＩ調整オッズ比一覧を示す図である。
【図１０３】図１０３は、年齢・ＢＭＩ調整オッズ比一覧を示す図である。
【図１０４】図１０４は、年齢・ＢＭＩ調整オッズ比一覧を示す図である。
【図１０５】図１０５は、年齢・ＢＭＩ調整オッズ比一覧を示す図である。
【図１０６】図１０６は、年齢・ＢＭＩ調整オッズ比一覧を示す図である。
【図１０７】図１０７は、年齢・ＢＭＩ調整オッズ比一覧を示す図である。
【図１０８】図１０８は、年齢・ＢＭＩ調整オッズ比一覧を示す図である。
【図１０９】図１０９は、性別・年齢・ＢＭＩ調整オッズ比一覧を示す図である。
【図１１０】図１１０は、性別・年齢・ＢＭＩ調整オッズ比一覧を示す図である。
【図１１１】図１１１は、性別・年齢・ＢＭＩ調整オッズ比一覧を示す図である。
【図１１２】図１１２は、性別・年齢・ＢＭＩ調整オッズ比一覧を示す図である。
【図１１３】図１１３は、性別・年齢・ＢＭＩ調整オッズ比一覧を示す図である。
【図１１４】図１１４は、性別・年齢・ＢＭＩ調整オッズ比一覧を示す図である。
【図１１５】図１１５は、性別・年齢・ＢＭＩ調整オッズ比一覧を示す図である。
【図１１６】図１１６は、性別・年齢・ＢＭＩ調整オッズ比一覧を示す図である。
【図１１７】図１１７は、性別・年齢・ＢＭＩ調整オッズ比一覧を示す図である。
【図１１８】図１１８は、アミノ酸濃度偏差値および指標式１，２の値と疾患イベントとの各組み合わせについて、所定の条件を満たすか否かの結果を示す図である。
【図１１９】図１１９は、アミノ酸濃度偏差値および指標式１，２の値と疾患イベントとの各組み合わせについて、オッズ比及びその９５％信頼区間を示す図である。
【図１２０】図１２０は、アミノ酸濃度偏差値および指標式１，２の値と疾患イベントとの各組み合わせについて、オッズ比及びその９５％信頼区間を示す図である。
【図１２１】図１２１は、アミノ酸濃度偏差値および指標式１，２の値と疾患イベントとの各組み合わせについて、オッズ比及びその９５％信頼区間を示す図である。
【図１２２】図１２２は、アミノ酸濃度偏差値および指標式１，２の値と疾患イベントとの各組み合わせについて、オッズ比及びその９５％信頼区間を示す図である。
【図１２３】図１２３は、アミノ酸濃度偏差値および指標式１，２の値と疾患イベントとの各組み合わせについて、オッズ比及びその９５％信頼区間を示す図である。
【図１２４】図１２４は、アミノ酸濃度偏差値および指標式１，２の値と疾患イベントとの各組み合わせについて、オッズ比及びその９５％信頼区間を示す図である。
【図１２５】図１２５は、アミノ酸低値に該当するアミノ酸濃度偏差値および必須アミノ酸低値に該当するアミノ酸濃度偏差値と疾患イベントとの各組み合わせについて、所定の条件を満たすか否かの結果を示す図である。
【図１２６】図１２６は、アミノ酸低値に該当するアミノ酸濃度偏差値および必須アミノ酸低値に該当するアミノ酸濃度偏差値と疾患イベントとの各組み合わせについて、オッズ比及びその９５％信頼区間を示す図である。
【図１２７】図１２７は、アミノ酸低値に該当するアミノ酸濃度偏差値および必須アミノ酸低値に該当するアミノ酸濃度偏差値と疾患イベントとの各組み合わせについて、オッズ比及びその９５％信頼区間を示す図である。
【図１２８】図１２８は、アミノ酸低値に該当するアミノ酸濃度偏差値および必須アミノ酸低値に該当するアミノ酸濃度偏差値と疾患イベントとの各組み合わせについて、オッズ比及びその９５％信頼区間を示す図である。
【図１２９】図１２９は、アミノ酸高値に該当するアミノ酸濃度偏差値および必須アミノ酸高値に該当するアミノ酸濃度偏差値と疾患イベントとの各組み合わせについて、所定の条件を満たすか否かの結果を示す図である。
【図１３０】図１３０は、アミノ酸高値に該当するアミノ酸濃度偏差値および必須アミノ酸高値に該当するアミノ酸濃度偏差値と疾患イベントとの各組み合わせについて、オッズ比及びその９５％信頼区間を示す図である。
【図１３１】図１３１は、アミノ酸高値に該当するアミノ酸濃度偏差値および必須アミノ酸高値に該当するアミノ酸濃度偏差値と疾患イベントとの各組み合わせについて、オッズ比及びその９５％信頼区間を示す図である。
【図１３２】図１３２は、アミノ酸高値に該当するアミノ酸濃度偏差値および必須アミノ酸高値に該当するアミノ酸濃度偏差値と疾患イベントとの各組み合わせについて、オッズ比及びその９５％信頼区間を示す図である。
【図１３３−１】図１３３−１は、アミノ酸セット、及び、アミノ酸セットと疾患イベントとの組み合わせに対するオッズ比を示す図である。
【図１３３−２】図１３３−２は、アミノ酸セット、及び、アミノ酸セットと疾患イベントとの組み合わせに対するオッズ比を示す図である。
【図１３４−１】図１３４−１は、アミノ酸セット、及び、アミノ酸セットと疾患イベントとの組み合わせに対するオッズ比を示す図である。
【図１３４−２】図１３４−２は、アミノ酸セット、及び、アミノ酸セットと疾患イベントとの組み合わせに対するオッズ比を示す図である。
【図１３５】図１３５は、アミノ酸セット、及び、アミノ酸セットと疾患イベントとの組み合わせに対するオッズ比を示す図である。
【図１３６】図１３６は、アミノ酸セット、及び、アミノ酸セットと疾患イベントとの組み合わせに対するオッズ比を示す図である。
【図１３７】図１３７は、各アミノ酸の出現頻度と出現率を示す図である。
【図１３８−１】図１３８−１は、アミノ酸セット、及び、アミノ酸セットと疾患イベントとの組み合わせに対するオッズ比を示す図である。
【図１３８−２】図１３８−２は、アミノ酸セット、及び、アミノ酸セットと疾患イベントとの組み合わせに対するオッズ比を示す図である。
【図１３９】図１３９は、アミノ酸セット、及び、アミノ酸セットと疾患イベントとの組み合わせに対するオッズ比を示す図である。
【図１４０】図１４０は、各アミノ酸の出現頻度と出現率を示す図である。
【発明を実施するための形態】
【００３１】
以下に、本発明にかかる評価方法の実施形態（第１実施形態）、及び、本発明に係る評価装置、評価方法、評価プログラム、評価システム及び端末装置の実施形態（第２実施形態）を、図面に基づいて詳細に説明する。なお、本発明はこれらの実施形態により限定されるものではない。
【００３２】
［第１実施形態］
［１−１．第１実施形態の概要］
ここでは、第１実施形態の概要について図１を参照して説明する。図１は第１実施形態の基本原理を示す原理構成図である。
【００３３】
まず、評価対象（例えば動物やヒトなどの個体）から採取した血液（例えば血漿、血清などを含む）中のアミノ酸の濃度値に関するアミノ酸濃度データを取得する（ステップＳ１１）。
【００３４】
なお、ステップＳ１１では、例えば、アミノ酸濃度値測定を行う企業等が測定したアミノ酸濃度データを取得してもよく、また、評価対象から採取した血液から、例えば以下の（Ａ）、（Ｂ）、または（Ｃ）などの測定方法でアミノ酸の濃度値を測定することでアミノ酸濃度データを取得してもよい。ここで、アミノ酸の濃度値の単位は、例えばモル濃度や重量濃度、これらの濃度に任意の定数を加減乗除することで得られるものでもよい。
（Ａ）採取した血液サンプルを遠心することにより血液から血漿を分離する。全ての血漿サンプルは、アミノ酸濃度値の測定時まで−８０℃で凍結保存する。アミノ酸濃度値測定時には、アセトニトリルを添加し除蛋白処理を行った後、標識試薬（３−アミノピリジル−Ｎ−ヒドロキシスクシンイミジルカルバメート）を用いてプレカラム誘導体化を行い、そして、液体クロマトグラフ質量分析計（ＬＣ／ＭＳ）によりアミノ酸濃度値を分析する（国際公開第２００３／０６９３２８号、国際公開第２００５／１１６６２９号を参照）。
（Ｂ）採取した血液サンプルを遠心することにより血液から血漿を分離する。全ての血漿サンプルは、アミノ酸濃度値の測定時まで−８０℃で凍結保存する。アミノ酸濃度値測定時には、スルホサリチル酸を添加し除蛋白処理を行った後、ニンヒドリン試薬を用いたポストカラム誘導体化法を原理としたアミノ酸分析計によりアミノ酸濃度値を分析する。
（Ｃ）採取した血液サンプルを、膜やＭＥＭＳ技術または遠心分離の原理を用いて血球分離を行い、血液から血漿または血清を分離する。血漿または血清取得後すぐに濃度値の測定を行わない血漿または血清サンプルは、濃度値の測定時まで−８０℃で凍結保存する。濃度値測定時には、酵素やアプタマーなど、標的とする血中物質と反応または結合する分子等を用い、基質認識によって増減する物質や分光学的値を定量等することにより濃度値を分析する。
【００３５】
つぎに、ステップＳ１１で取得したアミノ酸濃度データに含まれているアミノ酸の濃度値を、将来の生活習慣病リスクを評価するための評価値として用いて、評価対象について将来の生活習慣病リスクを評価する（ステップＳ１２）。なお、ステップＳ１２を実行する前に、ステップＳ１１で取得したアミノ酸濃度データから欠損値や外れ値などのデータを除去してもよい。
【００３６】
以上、第１実施形態によれば、ステップＳ１１では評価対象のアミノ酸濃度データを取得し、ステップＳ１２では、ステップＳ１１で取得した評価対象のアミノ酸濃度データに含まれているアミノ酸の濃度値を評価値として用いて、評価対象について将来の生活習慣病リスクを評価する。これにより、将来の生活習慣病リスクを知る上で参考となり得る信頼性の高い情報を提供することができる。
【００３７】
また、少なくともアミノ酸の濃度値が評価対象についての将来の生活習慣病リスクを反映したものであると決定してもよく、さらに、濃度値を例えば以下に挙げた手法などで変換し、変換後の値が評価対象についての将来の生活習慣病リスクを反映したものであると決定してもよい。換言すると、濃度値又は変換後の値そのものを、評価対象についての将来の生活習慣病リスクに関する評価結果として扱ってもよい。
濃度値の取り得る範囲が所定範囲（例えば０．０から１．０までの範囲、０．０から１０．０までの範囲、０．０から１００．０までの範囲、又は−１０．０から１０．０までの範囲、など）に収まるようにするためなどに、例えば、濃度値に対して任意の値を加減乗除したり、濃度値を所定の変換手法（例えば、指数変換、対数変換、角変換、平方根変換、プロビット変換、逆数変換、Ｂｏｘ−Ｃｏｘ変換、又はべき乗変換など）で変換したり、また、濃度値に対してこれらの計算を組み合わせて行ったりすることで、濃度値を変換してもよい。例えば、濃度値を指数としネイピア数を底とする指数関数の値（具体的には、将来の生活習慣病リスクが所定の状態（例えば、基準値を超えた状態、など）である確率ｐを定義したときの自然対数ｌｎ（ｐ／（１−ｐ））が濃度値と等しいとした場合におけるｐ／（１−ｐ）の値）をさらに算出してもよく、また、算出した指数関数の値を１と当該値との和で割った値（具体的には、確率ｐの値）をさらに算出してもよい。
また、特定の条件のときの変換後の値が特定の値となるように、濃度値を変換してもよい。例えば、特異度が８０％のときの変換後の値が５．０となり且つ特異度が９５％のときの変換後の値が８．０となるように濃度値を変換してもよい。
また、各アミノ酸ごとに、アミノ酸濃度分布を正規分布化した後、平均５０、標準偏差１０となるように偏差値化してもよい。その際、男女別に行ってもよい。
【００３８】
また、モニタ等の表示装置又は紙等の物理媒体に視認可能に示される、将来の生活習慣病リスクを評価するための所定の物差し（例えば、目盛りが示された物差しであって、濃度値又は変換後の値の取り得る範囲又は当該範囲の一部分における上限値と下限値に対応する目盛りが少なくとも示されたもの、など）上における、濃度値又は変換後の値に対応する所定の目印（例えば、丸印又は星印など）の位置に関する位置情報を、少なくともアミノ酸の濃度値又は当該濃度値を変換した場合にはその変換後の値を用いて生成し、生成した位置情報が評価対象についての将来の生活習慣病リスクを反映したものであると決定してもよい。
【００３９】
また、アミノ酸濃度が、所定値（平均値±１ＳＤ、２ＳＤ、３ＳＤ、Ｎ分位点、Ｎパーセンタイル又は臨床的意義の認められたカットオフ値など）より低い若しくは所定値以下の場合又は所定値以上若しくは所定値より高い場合に、評価対象について、将来の生活習慣病リスクを評価してもよい。その際、アミノ酸濃度そのものではなく、アミノ酸濃度偏差値（各アミノ酸ごとに、男女別にアミノ酸濃度分布を正規分布化した後、平均５０、標準偏差１０となるように偏差値化した値）を用いてもよい。例えば、アミノ酸濃度偏差値が平均値−２ＳＤ未満の場合（アミノ酸濃度偏差値＜３０の場合）、アミノ酸濃度偏差値が平均値＋２ＳＤより高い場合（アミノ酸濃度偏差値＞７０の場合）、必須アミノ酸及び／又は準必須アミノ酸のうち少なくとも１つのアミノ酸濃度偏差値が平均値−２ＳＤ未満の場合（アミノ酸濃度偏差値＜３０）、又は、必須アミノ酸及び／又は準必須アミノ酸のうち少なくとも１つのアミノ酸濃度偏差値が平均値＋２ＳＤより高い場合（アミノ酸濃度偏差値＞７０）に、評価対象について、どのような生活習慣病についてリスクがあるか及び／又はどの程度リスクがあるかを評価してもよい。
【００４０】
また、アミノ酸の濃度値、および、アミノ酸の濃度値が代入される変数を含む式を用いて、式の値を算出することで、評価対象について将来の生活習慣病リスクを評価してもよい。なお、本明細書において、濃度値が代入される変数には、当該濃度値を変換した後の値が代入されてもよい。
【００４１】
また、算出した式の値が評価対象についての将来の生活習慣病リスクを反映したものであると決定してもよく、さらに、式の値を例えば以下に挙げた手法などで変換し、変換後の値が評価対象についての将来の生活習慣病リスクを反映したものであると決定してもよい。換言すると、式の値又は変換後の値そのものを、評価対象についての将来の生活習慣病リスクに関する評価結果として扱ってもよい。
評価式の値の取り得る範囲が所定範囲（例えば０．０から１．０までの範囲、０．０から１０．０までの範囲、０．０から１００．０までの範囲、又は−１０．０から１０．０までの範囲、など）に収まるようにするためなどに、例えば、評価式の値に対して任意の値を加減乗除したり、評価式の値を所定の変換手法（例えば、指数変換、対数変換、角変換、平方根変換、プロビット変換、逆数変換、Ｂｏｘ−Ｃｏｘ変換、又はべき乗変換など）で変換したり、また、評価式の値に対してこれらの計算を組み合わせて行ったりすることで、評価式の値を変換してもよい。例えば、評価式の値を指数としネイピア数を底とする指数関数の値（具体的には、将来の生活習慣病リスクが所定の状態（例えば、基準値を超えた状態、など）である確率ｐを定義したときの自然対数ｌｎ（ｐ／（１−ｐ））が評価式の値と等しいとした場合におけるｐ／（１−ｐ）の値）をさらに算出してもよく、また、算出した指数関数の値を１と当該値との和で割った値（具体的には、確率ｐの値）をさらに算出してもよい。
また、特定の条件のときの変換後の値が特定の値となるように、評価式の値を変換してもよい。例えば、特異度が８０％のときの変換後の値が５．０となり且つ特異度が９５％のときの変換後の値が８．０となるように評価式の値を変換してもよい。
また、平均５０、標準偏差１０となるように偏差値化してもよい。その際、男女別に行ってもよい。
なお、本明細書における評価値は、評価式の値そのものであってもよく、評価式の値を変換した後の値であってもよい。
【００４２】
また、モニタ等の表示装置又は紙等の物理媒体に視認可能に示される、将来の生活習慣病リスクを評価するための所定の物差し（例えば、目盛りが示された物差しであって、式の値又は変換後の値の取り得る範囲又は当該範囲の一部分における上限値と下限値に対応する目盛りが少なくとも示されたもの、など）上における、式の値又は変換後の値に対応する所定の目印（例えば、丸印又は星印など）の位置に関する位置情報を、式の値又は当該式の値を変換した場合にはその変換後の値を用いて生成し、生成した位置情報が評価対象についての将来の生活習慣病リスクを反映したものであると決定してもよい。
【００４３】
また、評価対象における将来の生活習慣病リスクの程度を定性的または定量的に評価してもよい。
また、「アミノ酸の濃度値および予め設定された１つまたは複数の閾値」または「アミノ酸の濃度値、アミノ酸の濃度値が代入される変数を含む式、および予め設定された１つまたは複数の閾値」を用いて、評価対象を、将来の生活習慣病リスクの程度を少なくとも考慮して定義された複数の区分のうちのどれか１つに分類してもよい。なお、複数の区分には、将来の生活習慣病リスク（将来、生活習慣病を発症する可能性の程度）が高い対象を属させるための区分、将来の生活習慣病リスクが低い対象を属させるための区分、および将来の生活習慣病リスクが中程度である対象を属させるための区分が含まれていてもよい。また、複数の区分には、将来の生活習慣病リスクが高い対象を属させるための区分、および、将来の生活習慣病リスクが低い対象を属させるための区分が含まれていてもよい。
また、将来の生活習慣病リスクが連続的な数値で計測可能なものである場合に、アミノ酸の濃度値、あるいは、アミノ酸の濃度値およびアミノ酸の濃度値が代入される変数を含む式を用いて、評価対象における将来の生活習慣病リスクの値を推定してもよい。
また、濃度値又は式の値を所定の手法で変換し、変換後の値を用いて評価対象を複数の区分のうちのどれか１つに分類したり、評価対象における将来の生活習慣病リスクの値を推定したりしてもよい。
【００４４】
また、評価対象におけるインスリンの量（例えば、評価対象の血液中に存在するインスリンの量、など）の程度を定性的または定量的に評価してもよい。
また、「アミノ酸の濃度値および予め設定された１つまたは複数の閾値」または「アミノ酸の濃度値、アミノ酸の濃度値が代入される変数を含む式、および予め設定した１つまたは複数の閾値」を用いて、評価対象を、インスリンの量の程度を少なくとも考慮して定義された複数の区分のうちのどれか１つに分類してもよい。なお、複数の区分には、インスリンの量（例えばＯＧＴＴの１２０分時のインスリン値など）が大である対象を属させるための区分、インスリンの量（例えばＯＧＴＴの１２０分時のインスリン値など）が小である対象を属させるための区分、およびインスリンの量（例えばＯＧＴＴの１２０分時のインスリン値など）が中である対象を属させるための区分が含まれていてもよい。また、複数の区分には、インスリンの量（例えばＯＧＴＴの１２０分時のインスリン値など）が基準値（例えば４０μＵ／ｍｌなど）以上である対象を属させるための区分およびインスリンの量（例えばＯＧＴＴの１２０分時のインスリン値など）が基準値（例えば４０μＵ／ｍｌなど）以下である対象を属させるための区分が含まれていてもよい。また、複数の区分には、ＯＧＴＴの１２０分時のインスリン値が４０μＵ／ｍｌ以上である可能性が高い対象を属させるための区分、前記可能性が低い対象を属させるための区分、および前記可能性が中程度である対象を属させるための区分が含まれていてもよい。また、複数の区分には、ＯＧＴＴの１２０分時のインスリン値が４０μＵ／ｍｌ以上である可能性が高い対象を属させるための区分、および、前記可能性が低い対象を属させるための区分が含まれていてもよい。
また、アミノ酸の濃度値、および、アミノ酸の濃度値が代入される変数を含む式を用いて、評価対象におけるインスリンの量を推定してもよい。
また、濃度値又は式の値を所定の手法で変換し、変換後の値を用いて、評価対象を複数の区分のうちのどれか１つに分類したり、評価対象におけるインスリンの量を推定したりしてもよい。
【００４５】
また、評価対象における内臓脂肪の量（例えば、腹部の体軸断面における脂肪の面積値、など）の程度を評価してもよい。
また、「アミノ酸の濃度値および予め設定された１つまたは複数の閾値」または「アミノ酸の濃度値、アミノ酸の濃度値が代入される変数を含む式、および予め設定した１つまたは複数の閾値」を用いて、評価対象を、内臓脂肪の量の程度を少なくとも考慮して定義された複数の区分のうちのどれか１つに分類してもよい。なお、複数の区分には、内臓脂肪の量（例えば内臓脂肪面積値など）が大である対象を属させるための区分、内臓脂肪の量（例えば内臓脂肪面積値など）が小である対象を属させるための区分、および内臓脂肪の量（例えば内臓脂肪面積値など）が中である対象を属させるための区分が含まれていてもよい。また、複数の区分には、内臓脂肪の量（例えば内臓脂肪面積値など）が基準値（例えば１００ｃｍ２など）以上である対象を属させるための区分および内臓脂肪の量（例えば内臓脂肪面積値など）が基準値（例えば１００ｃｍ２など）以下である対象を属させるための区分が含まれていてもよい。また、複数の区分には、内臓脂肪面積値が１００ｃｍ２以上である可能性が高い対象を属させるための区分、前記可能性が低い対象を属させるための区分、および前記可能性が中程度である対象を属させるための区分が含まれていてもよい。また、複数の区分には、内臓脂肪面積値が１００ｃｍ２以上である可能性が高い対象を属させるための区分、および、前記可能性が低い対象を属させるための区分が含まれていてもよい。
また、アミノ酸の濃度値、および、アミノ酸の濃度値が代入される変数を含む式を用いて、評価対象における内臓脂肪の量を推定してもよい。
また、濃度値又は式の値を所定の手法で変換し、変換後の値を用いて、評価対象を複数の区分のうちのどれか１つに分類したり、評価対象における内臓脂肪の量を推定したりしてもよい。
なお、分類又は推定を行う際には、評価対象のＢＭＩ値や、ＢＭＩ値が代入される変数をさらに含む式をさらに用いてもよい。
【００４６】
また、脂肪肝である可能性の程度、つまり、評価対象の肝臓が一定量以上の脂肪（例えば、肝臓の重量の５％を超える程度の量の脂肪、肝細胞の３０％以上に相当する程度の量の脂肪、または、医師に脂肪肝と判断される程度の量の脂肪、など）を有した状態となっている可能性の程度を評価してもよい。
また、「アミノ酸の濃度値および予め設定した１つまたは複数の閾値」または「アミノ酸の濃度値、アミノ酸の濃度値が代入される変数を含む式、および予め設定した１つまたは複数の閾値」を用いて、評価対象を、肝臓が前記状態となっている可能性の程度を少なくとも考慮して定義された複数の区分のうちのどれか１つに分類してもよい。なお、複数の区分には、肝臓が前記状態となっている可能性が高い対象を属させるための区分、肝臓が前記状態となっている可能性が低い対象を属させるための区分、および肝臓が前記状態となっている可能性が中程度である対象を属させるための区分が含まれていてもよい。また、複数の区分には、肝臓が前記状態となっている可能性が高い対象を属させるための区分、および、肝臓が前記状態となっている可能性が低い対象を属させるための区分が含まれていてもよい。
また、濃度値又は式の値を所定の手法で変換し、変換後の値を用いて評価対象を複数の区分のうちのどれか１つに分類してもよい。
【００４７】
また、式は、ロジスティック回帰式、分数式、線形判別式、重回帰式、サポートベクターマシンで作成された式、マハラノビス距離法で作成された式、正準判別分析で作成された式、および決定木で作成された式のうちのいずれか１つでもよい。
【００４８】
また、アミノ酸の濃度値、および、複数の式（例えば、インスリンの状態を評価する場合に用いる式、内臓脂肪の状態を評価する場合に用いる式、脂肪肝の状態を評価する場合に用いる式、など）のうちのいずれか１つを用いて、メタボリックシンドロームの診断基準項目として定義された複数の項目の中で評価対象が該当している項目の数を評価してもよい。
【００４９】
また、アミノ酸の濃度値、および、複数の式（例えば、インスリンの状態を評価する場合に用いる式、内臓脂肪の状態を評価する場合に用いる式、脂肪肝の状態を評価する場合に用いる式、など）のうちのいずれか１つを用いて、評価対象が保有している生活習慣病の数を評価してもよい。
【００５０】
また、アミノ酸の濃度値、および、複数の式（例えば、インスリンの状態を評価する場合に用いる式、内臓脂肪の状態を評価する場合に用いる式、脂肪肝の状態を評価する場合に用いる式、など）のうちのいずれか１つを用いて、評価対象が生活習慣病に罹患している可能性の程度を評価してもよい。
【００５１】
なお、本明細書に記載の式の他に、本出願人による国際出願である国際公開第２００８／０１６１１１号、国際公開第２００８／０７５６６２号、国際公開第２００８／０７５６６３号、国際公開第２００９／０９９００５号、国際公開第２００９／１５４２９６号、国際公開第２００９／１５４２９７号に記載の式も評価式としてさらに採用して、将来の生活習慣病リスクの状態を評価することも可能である。
【００５２】
ここで、評価式として採用する式を、例えば、本出願人による国際出願である国際公開第２００４／０５２１９１号に記載の方法又は本出願人による国際出願である国際公開第２００６／０９８１９２号に記載の方法で作成してもよい。なお、これらの方法で得られた式であれば、入力データとしてのアミノ酸濃度データにおけるアミノ酸濃度値の単位に因らず、当該式を将来の生活習慣病リスクの状態を評価するのに好適に用いることができる。
【００５３】
また、評価式として採用する式は、一般に多変量解析で用いられる式の形式を意味するものであり、評価式として採用する式としては、例えば、分数式、重回帰式、多重ロジスティック回帰式、線形判別式、マハラノビス距離、正準判別関数、サポートベクターマシン、決定木、異なる形式の式の和で示されるような式、などが挙げられる。ここで、重回帰式、多重ロジスティック回帰式、正準判別関数などにおいては各変数に係数及び定数項が付加されるが、この係数及び定数項は、好ましくは実数であれば構わず、より好ましくは、データから前記の各種分類を行うために得られた係数及び定数項の９９％信頼区間の範囲に属する値であれば構わず、さらに好ましくは、データから前記の各種分類を行うために得られた係数及び定数項の９５％信頼区間の範囲に属する値であれば構わない。また、各係数の値、及びその信頼区間は、それを実数倍したものでもよく、定数項の値、及びその信頼区間は、それに任意の実定数を加減乗除したものでもよい。ロジスティック回帰式、線形判別式、重回帰式などを評価式として用いる場合、線形変換（定数の加算、定数倍）及び単調増加（減少）の変換（例えばｌｏｇｉｔ変換など）は評価性能を変えるものではなく変換前と同等であるので、これらの変換が行われた後のものを用いてもよい。
【００５４】
なお、分数式とは、当該分数式の分子がアミノ酸Ａ，Ｂ，Ｃ，・・・の和で表わされ及び／又は当該分数式の分母がアミノ酸ａ，ｂ，ｃ，・・・の和で表わされるものである。また、分数式には、このような構成の分数式α，β，γ，・・・の和（例えばα＋βのようなもの）も含まれる。また、分数式には、分割された分数式も含まれる。なお、分子や分母に用いられるアミノ酸にはそれぞれ適当な係数がついても構わない。また、分子や分母に用いられるアミノ酸は重複しても構わない。また、各分数式に適当な係数がついても構わない。また、各変数の係数の値や定数項の値は、実数であれば構わない。ある分数式と、当該分数式において分子の変数と分母の変数が入れ替えられたものとでは、目的変数との相関の正負の符号が概して逆転するものの、それらの相関性は保たれるが故に、評価性能も同等と見做せるので、分数式には、分子の変数と分母の変数が入れ替えられたものも含まれる。
【００５５】
そして、将来の生活習慣病リスクの状態を評価する際、前記２１種のアミノ酸以外のアミノ酸の濃度値を用いても構わない。また、将来の生活習慣病リスクの状態を評価する際、アミノ酸の濃度値以外に、他の生体情報に関する値（例えば、以下の１．から４．に挙げられた値など）をさらに用いても構わない。また、評価式として採用する式には、前記２１種のアミノ酸以外のアミノ酸の濃度値が代入される１つ又は複数の変数がさらに含まれていてもよい。また、評価式として採用する式には、アミノ酸の濃度値が代入される変数以外に、他の生体情報に関する値（例えば、以下の１．から４．に挙げられた値など）が代入される１つ又は複数の変数がさらに含まれていてもよい。
１．アミノ酸以外の他の血中の代謝物（アミノ酸代謝物・糖類・脂質等）、タンパク質、ペプチド、ミネラル、ホルモン等の濃度値
２．アルブミン、総蛋白、トリグリセリド、ＨｂＡ１ｃ、糖化アルブミン、インスリン抵抗性指数、総コレステロール、ＬＤＬコレステロール、ＨＤＬコレステロール、アミラーゼ、総ビリルビン、クレアチニン、推算糸球体濾過量（ｅＧＦＲ）、尿酸等の血液検査値
３．超音波エコー、Ｘ線、ＣＴ、ＭＲＩ等の画像情報から得られる値
４．年齢、身長、体重、ＢＭＩ、腹囲、収縮期血圧、拡張期血圧、性別、喫煙情報、食事情報、飲酒情報、運動情報、ストレス情報、睡眠情報、家族の既往歴情報、疾患歴情報（糖尿病等）等の生体指標に関する値
【００５６】
また、ステップＳ１１を実行する前に、評価対象に１つ又は複数の物質から成る所望の物質群を投与し、この評価対象から血液を採取しておき、ステップＳ１１で、この評価対象のアミノ酸濃度データを取得する場合、ステップＳ１２で得られた評価結果を用いて、投与した物質群が将来の生活習慣病リスクの状態を改善させるものであるか否かを判定することで、将来の生活習慣病リスクの状態を改善させる物質を探索してもよい。
なお、ステップＳ１１を実行する前に、例えば、ヒトに投与可能な既存の薬物・アミノ酸・食品・サプリメントを適宜組み合わせたもの（例えば、将来の生活習慣病リスクの改善に効果があること知られている薬物などを適宜組み合わせたもの）を、所定の期間（例えば１日から１２ヶ月の範囲）にわたり、所定量ずつ所定の頻度・タイミング（例えば１日３回・食後）で、所定の投与方法（例えば経口投与）により投与してもよい。ここで、投与方法や用量、剤形は、病状に応じて適宜組み合わせてもよい。なお、剤形は、公知の技術に基づいて決めてもよい。また、用量は、特に定めは無いが、例えば有効成分として１ｕｇから１００ｇを含有した形態で与えてもよい。
また、投与した物質群が将来の生活習慣病リスクの状態を改善させるものであるという判定結果が得られた場合には、投与した物質群が将来の生活習慣病リスクの状態を改善させる物質として探索されてもよい。なお、この探索方法によって探索された物質群として、例えば、前記２１種のアミノ酸を含むアミノ酸群が挙げられる。
また、前記２１種類のアミノ酸を含むアミノ酸群の濃度値や評価式の値を正常化させる物質を、第１実施形態の評価方法や第２実施形態の評価装置を用いて選択することができる。
また、将来の生活習慣病リスクの状態を改善させる物質を探索するとは、将来の生活習慣病リスクの改善に有効な新規物質を見出すことのみならず、公知物質の将来の生活習慣病リスクの改善用途を新規に見出すことや、将来の生活習慣病リスクの改善に有効性を期待できる既存の薬剤・サプリメント等を組み合わせた新規組成物を見出すことや、上記した適切な用法・用量・組み合わせを見出し、それをキットとすることや、食事・運動等も含めた予防・治療メニューを提示することや、当該予防・治療メニューの効果をモニタリングし、必要に応じて個人ごとにメニューの変更を提示すること等が含まれる。
【００５７】
［第２実施形態］
［２−１．第２実施形態の概要］
ここでは、第２実施形態の概要について図２を参照して説明する。図２は第２実施形態の基本原理を示す原理構成図である。なお、本第２実施形態の説明では、上述した第１実施形態と重複する説明を省略する場合がある。特に、ここでは、将来の生活習慣病リスクを評価する際に、評価式の値又はその変換後の値を用いるケースを一例として記載しているが、例えば、アミノ酸の濃度値又はその変換後の値（例えばアミノ酸濃度偏差値など）を用いてもよい。
【００５８】
制御部は、アミノ酸の濃度値に関する予め取得した評価対象（例えば動物やヒトなどの個体）のアミノ酸濃度データに含まれているアミノ酸の濃度値、および、アミノ酸の濃度値が代入される変数を含む予め記憶部に記憶された式を用いて、式の値を算出することで、評価対象について将来の生活習慣病リスクを評価する（ステップＳ２１）。
【００５９】
以上、第２実施形態によれば、ステップＳ２１では、評価対象のアミノ酸濃度データに含まれているアミノ酸の濃度値、および、評価式として記憶部に記憶された、アミノ酸の濃度値が代入される変数を含む式を用いて、評価式の値を算出することで、評価対象について将来の生活習慣病リスクを評価する。これにより、将来の生活習慣病リスクを知る上で参考となり得る信頼性の高い情報を提供することができる。
【００６０】
ここで、評価式作成処理（工程１〜工程４）の概要について詳細に説明する。なお、ここで説明する処理はあくまでも一例であり、評価式の作成方法はこれに限定されない。
【００６１】
まず、制御部は、アミノ酸濃度データと生活習慣病の指標の状態に関する生活習慣病指標データとを含む予め記憶部に記憶された指標状態情報から所定の式作成手法に基づいて、評価式の候補である候補式（例えば、ｙ＝ａ１ｘ１＋ａ２ｘ２＋・・・＋ａｎｘｎ、ｙ：生活習慣病指標データ、ｘｉ：アミノ酸濃度データ、ａｉ：定数、ｉ＝１，２，・・・，ｎ）を作成する（工程１）。なお、事前に、指標状態情報から欠損値や外れ値などを持つデータを除去してもよい。
【００６２】
なお、工程１において、指標状態情報から、複数の異なる式作成手法（主成分分析や判別分析、サポートベクターマシン、重回帰分析、ロジスティック回帰分析、ｋ−ｍｅａｎｓ法、クラスター解析、決定木などの多変量解析に関するものを含む。）を併用して複数の候補式を作成してもよい。具体的には、多数の健常群および生活習慣病の指標が所定の状態（例えば、基準値を超えた状態、など）である群から得た血液を分析して得たアミノ酸濃度データおよび生活習慣病指標データから構成される多変量データである指標状態情報に対して、複数の異なるアルゴリズムを利用して複数群の候補式を同時並行的に作成してもよい。例えば、異なるアルゴリズムを利用して判別分析およびロジスティック回帰分析を同時に行い、２つの異なる候補式を作成してもよい。また、主成分分析を行って作成した候補式を利用して指標状態情報を変換し、変換した指標状態情報に対して判別分析を行うことで候補式を作成してもよい。これにより、最終的に、最適な評価式を作成することができる。
【００６３】
ここで、主成分分析を用いて作成した候補式は、全てのアミノ酸濃度データの分散を最大にするような各アミノ酸変数を含む一次式である。また、判別分析を用いて作成した候補式は、各群内の分散の和の全てのアミノ酸濃度データの分散に対する比を最小にするような各アミノ酸変数を含む高次式（指数や対数を含む）である。また、サポートベクターマシンを用いて作成した候補式は、群間の境界を最大にするような各アミノ酸変数を含む高次式（カーネル関数を含む）である。また、重回帰分析を用いて作成した候補式は、全てのアミノ酸濃度データからの距離の和を最小にするような各アミノ酸変数を含む高次式である。ロジスティック回帰分析を用いて作成した候補式は、確率の対数オッズを表す線形モデルであり、その確率の尤度を最大にするような各アミノ酸変数を含む一次式である。また、ｋ−ｍｅａｎｓ法とは、各アミノ酸濃度データのｋ個近傍を探索し、近傍点の属する群の中で一番多いものをそのデータの所属群と定義し、入力されたアミノ酸濃度データの属する群と定義された群とが最も合致するようなアミノ酸変数を選択する手法である。また、クラスター解析とは、全てのアミノ酸濃度データの中で最も近い距離にある点同士をクラスタリング（群化）する手法である。また、決定木とは、アミノ酸変数に序列をつけて、序列が上位であるアミノ酸変数の取りうるパターンからアミノ酸濃度データの群を予測する手法である。
【００６４】
評価式作成処理の説明に戻り、制御部は、工程１で作成した候補式を、所定の検証手法に基づいて検証（相互検証）する（工程２）。候補式の検証は、工程１で作成した各候補式に対して行う。
【００６５】
なお、工程２において、ブートストラップ法やホールドアウト法、Ｎ−フォールド法、リーブワンアウト法などのうち少なくとも１つに基づいて候補式の判別率や感度、特異度、情報量基準、ＲＯＣ＿ＡＵＣ（受信者特性曲線の曲線下面積）などのうち少なくとも１つに関して検証してもよい。これにより、指標状態情報や評価条件を考慮した予測性または頑健性の高い候補式を作成することができる。
【００６６】
ここで、判別率とは、本実施形態で評価した生活習慣病の指標の状態が真の状態（例えば、確定診断の結果など）として陰性のものを正しく陰性と評価し、真の状態として陽性のものを正しく陽性と評価している割合である。また、感度とは、本実施形態で評価した生活習慣病の指標の状態が真の状態として陽性のものを正しく陽性と評価している割合である。また、特異度とは、本実施形態で評価した生活習慣病の指標の状態が真の状態として陰性のものを正しく陰性と評価している割合である。また、赤池情報量規準とは、回帰分析などの場合に，観測データが統計モデルにどの程度一致するかを表す基準であり、「−２×（統計モデルの最大対数尤度）＋２×（統計モデルの自由パラメータ数）」で定義される値が最小となるモデルを最もよいと判断する。また、ＲＯＣ＿ＡＵＣ（受信者特性曲線の曲線下面積）は、２次元座標上に（ｘ，ｙ）＝（１−特異度，感度）をプロットして作成される曲線である受信者特性曲線（ＲＯＣ）の曲線下面積として定義され、ＲＯＣ＿ＡＵＣの値は完全な判別では１となり、この値が１に近いほど判別性が高いことを示す。また、予測性とは、候補式の検証を繰り返すことで得られた判別率や感度、特異性を平均したものである。また、頑健性とは、候補式の検証を繰り返すことで得られた判別率や感度、特異性の分散である。
【００６７】
評価式作成処理の説明に戻り、制御部は、所定の変数選択手法に基づいて候補式の変数を選択することで、候補式を作成する際に用いる指標状態情報に含まれるアミノ酸濃度データの組み合わせを選択する（工程３）。アミノ酸変数の選択は、工程１で作成した各候補式に対して行ってもよい。これにより、候補式のアミノ酸変数を適切に選択することができる。そして、工程３で選択したアミノ酸濃度データを含む指標状態情報を用いて再び工程１を実行する。
【００６８】
なお、工程３において、工程２での検証結果からステップワイズ法、ベストパス法、近傍探索法、遺伝的アルゴリズムのうち少なくとも１つに基づいて候補式のアミノ酸変数を選択してもよい。
【００６９】
ここで、ベストパス法とは、候補式に含まれるアミノ酸変数を１つずつ順次減らしていき、候補式が与える評価指標を最適化することでアミノ酸変数を選択する方法である。
【００７０】
評価式作成処理の説明に戻り、制御部は、上述した工程１、工程２および工程３を繰り返し実行し、これにより蓄積した検証結果に基づいて、複数の候補式の中から評価式として採用する候補式を選出することで、評価式を作成する（工程４）。なお、候補式の選出には、例えば、同じ式作成手法で作成した候補式の中から最適なものを選出する場合と、すべての候補式の中から最適なものを選出する場合とがある。
【００７１】
以上、説明したように、評価式作成処理では、指標状態情報に基づいて、候補式の作成、候補式の検証および候補式の変数の選択に関する処理を一連の流れで体系化（システム化）して実行することにより、生活習慣病の指標の状態の評価に最適な評価式を作成することができる。換言すると、評価式作成処理では、アミノ酸濃度を多変量の統計解析に用い、最適でロバストな変数の組を選択するために変数選択法とクロスバリデーションとを組み合わせて、評価性能の高い評価式を抽出する。評価式としては、ロジスティック回帰、線形判別、サポートベクターマシン、マハラノビス距離法、重回帰分析、クラスター解析、Ｃｏｘ比例ハザードモデルなどを用いることができる。
【００７２】
［２−２．第２実施形態の構成］
ここでは、第２実施形態にかかる評価システム（以下では本システムと記す場合がある。）の構成について、図３から図１８を参照して説明する。なお、本システムはあくまでも一例であり、本発明はこれに限定されない。特に、ここでは、将来の生活習慣病リスクを評価する際に、評価式の値又はその変換後の値を用いるケースを一例として記載しているが、例えば、アミノ酸の濃度値又はその変換後の値（例えばアミノ酸濃度偏差値など）を用いてもよい。
【００７３】
まず、本システムの全体構成について図３および図４を参照して説明する。図３は本システムの全体構成の一例を示す図である。また、図４は本システムの全体構成の他の一例を示す図である。本システムは、図３に示すように、評価対象である個体について将来の生活習慣病リスクを評価する評価装置１００と、アミノ酸の濃度値に関する個体のアミノ酸濃度データを提供するクライアント装置２００（本発明の端末装置に相当）とを、ネットワーク３００を介して通信可能に接続して構成されている。
【００７４】
なお、本システムは、図４に示すように、評価装置１００やクライアント装置２００の他に、評価装置１００で評価式を作成する際に用いる指標状態情報や、将来の生活習慣病リスクを評価する際に用いる評価式などを格納したデータベース装置４００を、ネットワーク３００を介して通信可能に接続して構成されてもよい。これにより、ネットワーク３００を介して、評価装置１００からクライアント装置２００やデータベース装置４００へ、あるいはクライアント装置２００やデータベース装置４００から評価装置１００へ、将来の生活習慣病リスクを知る上で参考となる情報などが提供される。ここで、将来の生活習慣病リスクを知る上で参考となる情報とは、例えば、ヒトを含む生物の将来の生活習慣病リスクの状態に関する特定の項目について測定した値に関する情報などである。また、将来の生活習慣病リスクを知る上で参考となる情報は、評価装置１００やクライアント装置２００や他の装置（例えば各種の計測装置等）で生成され、主にデータベース装置４００に蓄積される。
【００７５】
つぎに、本システムの評価装置１００の構成について図５から図１６を参照して説明する。図５は、本システムの評価装置１００の構成の一例を示すブロック図であり、該構成のうち本発明に関係する部分のみを概念的に示している。
【００７６】
評価装置１００は、当該評価装置を統括的に制御するＣＰＵ等の制御部１０２と、ルータ等の通信装置および専用線等の有線または無線の通信回線を介して当該評価装置をネットワーク３００に通信可能に接続する通信インターフェース部１０４と、各種のデータベースやテーブルやファイルなどを格納する記憶部１０６と、入力装置１１２や出力装置１１４に接続する入出力インターフェース部１０８と、で構成されており、これら各部は任意の通信路を介して通信可能に接続されている。ここで、評価装置１００は、各種の分析装置（例えばアミノ酸アナライザー等）と同一筐体で構成されてもよい。例えば、血液中のアミノ酸の濃度値を算出（測定）し、算出した濃度値を出力（印刷やモニタ表示など）する構成（ハードウェアおよびソフトウェア）を備えた小型分析装置において、後述する評価部１０２ｉをさらに備え、当該評価部１０２ｉで得られた結果を前記構成を用いて出力すること、を特徴とするものでもよい。
【００７７】
記憶部１０６は、ストレージ手段であり、例えば、ＲＡＭ・ＲＯＭ等のメモリ装置や、ハードディスクのような固定ディスク装置、フレキシブルディスク、光ディスク等を用いることができる。記憶部１０６には、ＯＳ（Ｏｐｅｒａｔｉｎｇ  Ｓｙｓｔｅｍ）と協働してＣＰＵに命令を与え各種処理を行うためのコンピュータプログラムが記録されている。記憶部１０６は、図示の如く、利用者情報ファイル１０６ａと、アミノ酸濃度データファイル１０６ｂと、指標状態情報ファイル１０６ｃと、指定指標状態情報ファイル１０６ｄと、評価式関連情報データベース１０６ｅと、評価結果ファイル１０６ｆと、を格納する。
【００７８】
利用者情報ファイル１０６ａは、利用者に関する利用者情報を格納する。図６は、利用者情報ファイル１０６ａに格納される情報の一例を示す図である。利用者情報ファイル１０６ａに格納される情報は、図６に示すように、利用者を一意に識別するための利用者ＩＤと、利用者が正当な者であるか否かの認証を行うための利用者パスワードと、利用者の氏名と、利用者の所属する所属先を一意に識別するための所属先ＩＤと、利用者の所属する所属先の部門を一意に識別するための部門ＩＤと、部門名と、利用者の電子メールアドレスと、を相互に関連付けて構成されている。
【００７９】
図５に戻り、アミノ酸濃度データファイル１０６ｂは、アミノ酸の濃度値に関するアミノ酸濃度データを格納する。図７は、アミノ酸濃度データファイル１０６ｂに格納される情報の一例を示す図である。アミノ酸濃度データファイル１０６ｂに格納される情報は、図７に示すように、評価対象である個体（サンプル）を一意に識別するための個体番号と、アミノ酸濃度データとを相互に関連付けて構成されている。ここで、図７では、アミノ酸濃度データを数値、すなわち連続尺度として扱っているが、アミノ酸濃度データは名義尺度や順序尺度でもよい。なお、名義尺度や順序尺度の場合は、それぞれの状態に対して任意の数値を与えることで解析してもよい。また、アミノ酸濃度データに、前記２１種のアミノ酸以外のアミノ酸の濃度値や、他の生体情報に関する値（例えば、以下の１．から４．に挙げられた値など）を組み合わせてもよい。
１．アミノ酸以外の他の血中の代謝物（アミノ酸代謝物・糖類・脂質等）、タンパク質、ペプチド、ミネラル、ホルモン等の濃度値
２．アルブミン、総蛋白、トリグリセリド、ＨｂＡ１ｃ、糖化アルブミン、インスリン抵抗性指数、総コレステロール、ＬＤＬコレステロール、ＨＤＬコレステロール、アミラーゼ、総ビリルビン、クレアチニン、推算糸球体濾過量（ｅＧＦＲ）、尿酸等の血液検査値
３．超音波エコー、Ｘ線、ＣＴ、ＭＲＩ等の画像情報から得られる値
４．年齢、身長、体重、ＢＭＩ、腹囲、収縮期血圧、拡張期血圧、性別、喫煙情報、食事情報、飲酒情報、運動情報、ストレス情報、睡眠情報、家族の既往歴情報、疾患歴情報（糖尿病等）等の生体指標に関する値
【００８０】
図５に戻り、指標状態情報ファイル１０６ｃは、評価式を作成する際に用いる指標状態情報を格納する。図８は、指標状態情報ファイル１０６ｃに格納される情報の一例を示す図である。指標状態情報ファイル１０６ｃに格納される情報は、図８に示すように、個体番号と、生活習慣病の指標（指標Ｔ１、指標Ｔ２、指標Ｔ３・・・）の状態に関する生活習慣病指標データ（Ｔ）と、アミノ酸濃度データと、を相互に関連付けて構成されている。ここで、図８では、生活習慣病指標データおよびアミノ酸濃度データを数値（すなわち連続尺度）として扱っているが、生活習慣病指標データおよびアミノ酸濃度データは名義尺度や順序尺度でもよい。なお、名義尺度や順序尺度の場合は、それぞれの状態に対して任意の数値を与えることで解析してもよい。また、生活習慣病指標データは、生活習慣病の既知の指標などであり、数値データを用いてもよい。
【００８１】
図５に戻り、指定指標状態情報ファイル１０６ｄは、後述する指標状態情報指定部１０２ｇで指定した指標状態情報を格納する。図９は、指定指標状態情報ファイル１０６ｄに格納される情報の一例を示す図である。指定指標状態情報ファイル１０６ｄに格納される情報は、図９に示すように、個体番号と、指定した生活習慣病指標データと、指定したアミノ酸濃度データと、を相互に関連付けて構成されている。
【００８２】
図５に戻り、評価式関連情報データベース１０６ｅは、後述する候補式作成部１０２ｈ１で作成した候補式を格納する候補式ファイル１０６ｅ１と、後述する候補式検証部１０２ｈ２での検証結果を格納する検証結果ファイル１０６ｅ２と、後述する変数選択部１０２ｈ３で選択したアミノ酸濃度データの組み合わせを含む指標状態情報を格納する選択指標状態情報ファイル１０６ｅ３と、後述する評価式作成部１０２ｈで作成した評価式を格納する評価式ファイル１０６ｅ４と、で構成される。
【００８３】
候補式ファイル１０６ｅ１は、後述する候補式作成部１０２ｈ１で作成した候補式を格納する。図１０は、候補式ファイル１０６ｅ１に格納される情報の一例を示す図である。候補式ファイル１０６ｅ１に格納される情報は、図１０に示すように、ランクと、候補式（図１０では、Ｆ１（Ｇｌｙ，Ｌｅｕ，Ｐｈｅ，・・・）やＦ２（Ｇｌｙ，Ｌｅｕ，Ｐｈｅ，・・・）、Ｆ３（Ｇｌｙ，Ｌｅｕ，Ｐｈｅ，・・・）など）とを相互に関連付けて構成されている。
【００８４】
図５に戻り、検証結果ファイル１０６ｅ２は、後述する候補式検証部１０２ｈ２での検証結果を格納する。図１１は、検証結果ファイル１０６ｅ２に格納される情報の一例を示す図である。検証結果ファイル１０６ｅ２に格納される情報は、図１１に示すように、ランクと、候補式（図１１では、Ｆｋ（Ｇｌｙ，Ｌｅｕ，Ｐｈｅ，・・・）やＦｍ（Ｇｌｙ，Ｌｅｕ，Ｐｈｅ，・・・）、Ｆｌ（Ｇｌｙ，Ｌｅｕ，Ｐｈｅ，・・・）など）と、各候補式の検証結果（例えば各候補式の評価値）と、を相互に関連付けて構成されている。
【００８５】
図５に戻り、選択指標状態情報ファイル１０６ｅ３は、後述する変数選択部１０２ｈ３で選択した変数に対応するアミノ酸濃度データの組み合わせを含む指標状態情報を格納する。図１２は、選択指標状態情報ファイル１０６ｅ３に格納される情報の一例を示す図である。選択指標状態情報ファイル１０６ｅ３に格納される情報は、図１２に示すように、個体番号と、後述する指標状態情報指定部１０２ｇで指定した生活習慣病指標データと、後述する変数選択部１０２ｈ３で選択したアミノ酸濃度データと、を相互に関連付けて構成されている。
【００８６】
図５に戻り、評価式ファイル１０６ｅ４は、後述する評価式作成部１０２ｈで作成した評価式を格納する。図１３は、評価式ファイル１０６ｅ４に格納される情報の一例を示す図である。評価式ファイル１０６ｅ４に格納される情報は、図１３に示すように、ランクと、評価式（図１３では、Ｆｐ（Ｐｈｅ，・・・）やＦｐ（Ｇｌｙ，Ｌｅｕ，Ｐｈｅ）、Ｆｋ（Ｇｌｙ，Ｌｅｕ，Ｐｈｅ，・・・）など）と、各式作成手法に対応する閾値と、各評価式の検証結果（例えば各評価式の評価値）と、を相互に関連付けて構成されている。
【００８７】
図５に戻り、評価結果ファイル１０６ｆは、後述する評価部１０２ｉで得られた評価結果を格納する。図１４は、評価結果ファイル１０６ｆに格納される情報の一例を示す図である。評価結果ファイル１０６ｆに格納される情報は、評価対象である個体（サンプル）を一意に識別するための個体番号と、予め取得した個体のアミノ酸濃度データと、生活習慣病の指標の状態に関する評価結果（例えば、後述する算出部１０２ｉ１で算出した評価式の値、後述する変換部１０２ｉ２で評価式の値を変換した後の値、後述する生成部１０２ｉ３で生成した位置情報、又は、後述する分類部１０２ｉ４で得られた分類結果、など）と、を相互に関連付けて構成されている。
【００８８】
図５に戻り、記憶部１０６には、上述した情報以外にその他情報として、Ｗｅｂサイトをクライアント装置２００に提供するための各種のＷｅｂデータや、ＣＧＩプログラム等が記録されている。Ｗｅｂデータとしては後述する各種のＷｅｂページを表示するためのデータ等があり、これらデータは例えばＨＴＭＬやＸＭＬで記述されたテキストファイルとして形成されている。また、Ｗｅｂデータを作成するための部品用のファイルや作業用のファイルやその他一時的なファイル等も記憶部１０６に記憶される。記憶部１０６には、必要に応じて、クライアント装置２００に送信するための音声をＷＡＶＥ形式やＡＩＦＦ形式の如き音声ファイルで格納したり、静止画や動画をＪＰＥＧ形式やＭＰＥＧ２形式の如き画像ファイルで格納したりすることができる。
【００８９】
通信インターフェース部１０４は、評価装置１００とネットワーク３００（またはルータ等の通信装置）との間における通信を媒介する。すなわち、通信インターフェース部１０４は、他の端末と通信回線を介してデータを通信する機能を有する。
【００９０】
入出力インターフェース部１０８は、入力装置１１２や出力装置１１４に接続する。ここで、出力装置１１４には、モニタ（家庭用テレビを含む）の他、スピーカやプリンタを用いることができる（なお、以下では、出力装置１１４をモニタ１１４として記載する場合がある。）。入力装置１１２には、キーボードやマウスやマイクの他、マウスと協働してポインティングデバイス機能を実現するモニタを用いることができる。
【００９１】
制御部１０２は、ＯＳ（Ｏｐｅｒａｔｉｎｇ  Ｓｙｓｔｅｍ）等の制御プログラム・各種の処理手順等を規定したプログラム・所要データなどを格納するための内部メモリを有し、これらのプログラムに基づいて種々の情報処理を実行する。制御部１０２は、図示の如く、大別して、要求解釈部１０２ａと閲覧処理部１０２ｂと認証処理部１０２ｃと電子メール生成部１０２ｄとＷｅｂページ生成部１０２ｅと受信部１０２ｆと指標状態情報指定部１０２ｇと評価式作成部１０２ｈと評価部１０２ｉと結果出力部１０２ｊと送信部１０２ｋとを備えている。制御部１０２は、データベース装置４００から送信された指標状態情報やクライアント装置２００から送信されたアミノ酸濃度データに対して、欠損値のあるデータの除去・外れ値の多いデータの除去・欠損値のあるデータの多い変数の除去などのデータ処理も行う。
【００９２】
要求解釈部１０２ａは、クライアント装置２００やデータベース装置４００からの要求内容を解釈し、その解釈結果に応じて制御部１０２の各部に処理を受け渡す。閲覧処理部１０２ｂは、クライアント装置２００からの各種画面の閲覧要求を受けて、これら画面のＷｅｂデータの生成や送信を行なう。認証処理部１０２ｃは、クライアント装置２００やデータベース装置４００からの認証要求を受けて、認証判断を行う。電子メール生成部１０２ｄは、各種の情報を含んだ電子メールを生成する。Ｗｅｂページ生成部１０２ｅは、利用者がクライアント装置２００で閲覧するＷｅｂページを生成する。
【００９３】
受信部１０２ｆは、クライアント装置２００やデータベース装置４００から送信された情報（具体的には、アミノ酸濃度データや指標状態情報、評価式など）を、ネットワーク３００を介して受信する。指標状態情報指定部１０２ｇは、評価式を作成するにあたり、対象とする生活習慣病指標データおよびアミノ酸濃度データを指定する。
【００９４】
評価式作成部１０２ｈは、受信部１０２ｆで受信した指標状態情報や指標状態情報指定部１０２ｇで指定した指標状態情報に基づいて評価式を作成する。具体的には、評価式作成部１０２ｈは、指標状態情報から、候補式作成部１０２ｈ１、候補式検証部１０２ｈ２および変数選択部１０２ｈ３を繰り返し実行させることにより蓄積された検証結果に基づいて、複数の候補式の中から評価式として採用する候補式を選出することで、評価式を作成する。
【００９５】
なお、評価式が予め記憶部１０６の所定の記憶領域に格納されている場合には、評価式作成部１０２ｈは、記憶部１０６から所望の評価式を選択することで、評価式を作成してもよい。また、評価式作成部１０２ｈは、評価式を予め格納した他のコンピュータ装置（例えばデータベース装置４００）から所望の評価式を選択しダウンロードすることで、評価式を作成してもよい。
【００９６】
ここで、評価式作成部１０２ｈの構成について図１５を参照して説明する。図１５は、評価式作成部１０２ｈの構成を示すブロック図であり、該構成のうち本発明に関係する部分のみを概念的に示している。評価式作成部１０２ｈは、候補式作成部１０２ｈ１と、候補式検証部１０２ｈ２と、変数選択部１０２ｈ３と、をさらに備えている。候補式作成部１０２ｈ１は、指標状態情報から所定の式作成手法に基づいて評価式の候補である候補式を作成する。なお、候補式作成部１０２ｈ１は、指標状態情報から、複数の異なる式作成手法を併用して複数の候補式を作成してもよい。候補式検証部１０２ｈ２は、候補式作成部１０２ｈ１で作成した候補式を所定の検証手法に基づいて検証する。なお、候補式検証部１０２ｈ２は、ブートストラップ法、ホールドアウト法、Ｎ−フォールド法、リーブワンアウト法のうち少なくとも１つに基づいて候補式の判別率、感度、特異度、情報量基準、ＲＯＣ＿ＡＵＣ（受信者特性曲線の曲線下面積）のうち少なくとも１つに関して検証してもよい。変数選択部１０２ｈ３は、所定の変数選択手法に基づいて候補式の変数を選択することで、候補式を作成する際に用いる指標状態情報に含まれるアミノ酸濃度データの組み合わせを選択する。なお、変数選択部１０２ｈ３は、検証結果からステップワイズ法、ベストパス法、近傍探索法、遺伝的アルゴリズムのうち少なくとも１つに基づいて候補式の変数を選択してもよい。
【００９７】
図５に戻り、評価部１０２ｉは、事前に得られた式（例えば、評価式作成部１０２ｈで作成した評価式、又は、受信部１０２ｆで受信した評価式など）、及び、受信部１０２ｆで受信した個体のアミノ酸濃度データを用いて、評価式の値を算出することで、個体について将来の生活習慣病リスクを評価する。なお、評価部１０２ｉは、アミノ酸の濃度値又は当該濃度値の変換後の値（例えばアミノ酸濃度偏差値）を用いて、個体について将来の生活習慣病リスクを評価してもよい。
【００９８】
ここで、評価部１０２ｉの構成について図１６を参照して説明する。図１６は、評価部１０２ｉの構成を示すブロック図であり、該構成のうち本発明に関係する部分のみを概念的に示している。評価部１０２ｉは、算出部１０２ｉ１と、変換部１０２ｉ２と、生成部１０２ｉ３と、分類部１０２ｉ４と、をさらに備えている。
【００９９】
算出部１０２ｉ１は、アミノ酸の濃度値、および、少なくともアミノ酸の濃度値が代入される変数を含む評価式を用いて、評価式の値を算出する。なお、評価部１０２ｉは、算出部１０２ｉ１で算出した評価式の値を評価結果として評価結果ファイル１０６ｆの所定の記憶領域に格納してもよい。また、評価式は、ロジスティック回帰式、分数式、線形判別式、重回帰式、サポートベクターマシンで作成された式、マハラノビス距離法で作成された式、正準判別分析で作成された式、および決定木で作成された式のうちのいずれか１つでもよい。また、将来の生活習慣病リスクが連続的な数値で計測可能なものである場合、評価部１０２ｉは、算出部１０２ｉ１で算出した評価式の値を、当該将来の生活習慣病リスクの推定値としてもよい。
【０１００】
変換部１０２ｉ２は、算出部１０２ｉ１で算出した評価式の値を例えば上述した変換手法などで変換する。なお、評価部１０２ｉは、変換部１０２ｉ２で変換した後の値を評価結果として評価結果ファイル１０６ｆの所定の記憶領域に格納してもよい。また、将来の生活習慣病リスクが連続的な数値で計測可能なものである場合、評価部１０２ｉは、変換部１０２ｉ２で変換した後の値を、当該将来の生活習慣病リスクの推定値としてもよい。また、変換部１０２ｉ２は、アミノ酸濃度データに含まれているアミノ酸の濃度値を例えば上述した変換手法などで変換してもよい。例えば、変換部１０２ｉ２は、アミノ酸の濃度値をアミノ酸濃度偏差値に変換（偏差値化）してもよい。
【０１０１】
生成部１０２ｉ３は、モニタ等の表示装置又は紙等の物理媒体に視認可能に示される、将来の生活習慣病リスクを評価するための所定の物差し（例えば、目盛りが示された物差しであって、式の値又は変換後の値（濃度値又は当該濃度値の変換後の値でもよい）の取り得る範囲又は当該範囲の一部分における上限値と下限値に対応する目盛りが少なくとも示されたもの、など）上における、式の値又は変換後の値（濃度値又は当該濃度値の変換後の値でもよい）に対応する所定の目印（例えば、丸印又は星印など）の位置に関する位置情報を、算出部１０２ｉ１で算出した式の値又は変換部１０２ｉ２で変換した後の値（濃度値又は当該濃度値の変換後の値でもよい）を用いて生成する。なお、評価部１０２ｉは、生成部１０２ｉ３で生成した位置情報を評価結果として評価結果ファイル１０６ｆの所定の記憶領域に格納してもよい。
【０１０２】
分類部１０２ｉ４は、算出部１０２ｉ１で算出した評価式の値又は変換部１０２ｉ２で変換した後の値（濃度値又は当該濃度値の変換後の値でもよい）を用いて、個体を、将来の生活習慣病リスクの程度を少なくとも考慮して定義された複数の区分のうちのどれか１つに分類する。
【０１０３】
図５に戻り、結果出力部１０２ｊは、制御部１０２の各処理部での処理結果（評価部１０２ｉで得られた評価結果を含む）等を出力装置１１４に出力する。
【０１０４】
送信部１０２ｋは、個体のアミノ酸濃度データの送信元のクライアント装置２００に対して評価結果を送信したり、データベース装置４００に対して、評価装置１００で作成した評価式や評価結果を送信したりする。
【０１０５】
つぎに、本システムのクライアント装置２００の構成について図１７を参照して説明する。図１７は、本システムのクライアント装置２００の構成の一例を示すブロック図であり、該構成のうち本発明に関係する部分のみを概念的に示している。
【０１０６】
クライアント装置２００は、制御部２１０とＲＯＭ２２０とＨＤ２３０とＲＡＭ２４０と入力装置２５０と出力装置２６０と入出力ＩＦ２７０と通信ＩＦ２８０とで構成されており、これら各部は任意の通信路を介して通信可能に接続されている。
【０１０７】
制御部２１０は、Ｗｅｂブラウザ２１１、電子メーラ２１２、受信部２１３、送信部２１４を備えている。Ｗｅｂブラウザ２１１は、Ｗｅｂデータを解釈し、解釈したＷｅｂデータを後述するモニタ２６１に表示するブラウズ処理を行う。なお、Ｗｅｂブラウザ２１１には、ストリーム映像の受信・表示・フィードバック等を行う機能を備えたストリームプレイヤ等の各種のソフトウェアをプラグインしてもよい。電子メーラ２１２は、所定の通信規約（例えば、ＳＭＴＰ（Ｓｉｍｐｌｅ  Ｍａｉｌ  Ｔｒａｎｓｆｅｒ  Ｐｒｏｔｏｃｏｌ）やＰＯＰ３（Ｐｏｓｔ  Ｏｆｆｉｃｅ  Ｐｒｏｔｏｃｏｌ  ｖｅｒｓｉｏｎ  ３）等）に従って電子メールの送受信を行う。受信部２１３は、通信ＩＦ２８０を介して、評価装置１００から送信された評価結果などの各種情報を受信する。送信部２１４は、通信ＩＦ２８０を介して、個体のアミノ酸濃度データなどの各種情報を評価装置１００へ送信する。
【０１０８】
入力装置２５０はキーボードやマウスやマイク等である。なお、後述するモニタ２６１もマウスと協働してポインティングデバイス機能を実現する。出力装置２６０は、通信ＩＦ２８０を介して受信した情報を出力する出力手段であり、モニタ（家庭用テレビを含む）２６１およびプリンタ２６２を含む。この他、出力装置２６０にスピーカ等を設けてもよい。入出力ＩＦ２７０は入力装置２５０や出力装置２６０に接続する。
【０１０９】
通信ＩＦ２８０は、クライアント装置２００とネットワーク３００（またはルータ等の通信装置）とを通信可能に接続する。換言すると、クライアント装置２００は、モデムやＴＡやルータなどの通信装置および電話回線を介して、または専用線を介してネットワーク３００に接続される。これにより、クライアント装置２００は、所定の通信規約に従って評価装置１００にアクセスすることができる。
【０１１０】
ここで、プリンタ・モニタ・イメージスキャナ等の周辺装置を必要に応じて接続した情報処理装置（例えば、既知のパーソナルコンピュータ・ワークステーション・家庭用ゲーム装置・インターネットＴＶ・ＰＨＳ端末・携帯端末・移動体通信端末・ＰＤＡ等の情報処理端末など）に、Ｗｅｂデータのブラウジング機能や電子メール機能を実現させるソフトウェア（プログラム、データ等を含む）を実装することにより、クライアント装置２００を実現してもよい。
【０１１１】
また、クライアント装置２００の制御部２１０は、制御部２１０で行う処理の全部または任意の一部を、ＣＰＵおよび当該ＣＰＵにて解釈して実行するプログラムで実現してもよい。ＲＯＭ２２０またはＨＤ２３０には、ＯＳ（Ｏｐｅｒａｔｉｎｇ  Ｓｙｓｔｅｍ）と協働してＣＰＵに命令を与え、各種処理を行うためのコンピュータプログラムが記録されている。当該コンピュータプログラムは、ＲＡＭ２４０にロードされることで実行され、ＣＰＵと協働して制御部２１０を構成する。また、当該コンピュータプログラムは、クライアント装置２００と任意のネットワークを介して接続されるアプリケーションプログラムサーバに記録されてもよく、クライアント装置２００は、必要に応じてその全部または一部をダウンロードしてもよい。また、制御部２１０で行う処理の全部または任意の一部を、ワイヤードロジック等によるハードウェアで実現してもよい。
【０１１２】
ここで、制御部２１０は、評価装置１００の制御部１０２に備えられている評価部１０２ｉが有する機能と同様の機能を有する評価部２１０ａ（算出部２１０ａ１、変換部２１０ａ２、生成部２１０ａ３、及び分類部２１０ａ４を含む）を備えていてもよい。そして、制御部２１０に評価部２１０ａが備えられている場合には、評価部２１０ａは、評価装置１００から送信された評価結果に含まれている情報に応じて、変換部２１０ａ２で式の値を変換したり、生成部２１０ａ３で式の値又は変換後の値（濃度値又は当該濃度値の変換後の値でもよい）に対応する位置情報を生成したり、分類部２１０ａ４で式の値又は変換後の値（濃度値又は当該濃度値の変換後の値でもよい）を用いて個体を複数の区分のうちのどれか１つに分類したりしてもよい。
【０１１３】
つぎに、本システムのネットワーク３００について図３、図４を参照して説明する。ネットワーク３００は、評価装置１００とクライアント装置２００とデータベース装置４００とを相互に通信可能に接続する機能を有し、例えばインターネットやイントラネットやＬＡＮ（有線／無線の双方を含む）等である。なお、ネットワーク３００は、ＶＡＮや、パソコン通信網や、公衆電話網（アナログ／デジタルの双方を含む）や、専用回線網（アナログ／デジタルの双方を含む）や、ＣＡＴＶ網や、携帯回線交換網または携帯パケット交換網（ＩＭＴ２０００方式、ＧＳＭ（登録商標）方式またはＰＤＣ／ＰＤＣ−Ｐ方式等を含む）や、無線呼出網や、Ｂｌｕｅｔｏｏｔｈ（登録商標）等の局所無線網や、ＰＨＳ網や、衛星通信網（ＣＳ、ＢＳまたはＩＳＤＢ等を含む）等でもよい。
【０１１４】
つぎに、本システムのデータベース装置４００の構成について図１８を参照して説明する。図１８は、本システムのデータベース装置４００の構成の一例を示すブロック図であり、該構成のうち本発明に関係する部分のみを概念的に示している。
【０１１５】
データベース装置４００は、評価装置１００または当該データベース装置で評価式を作成する際に用いる指標状態情報や、評価装置１００で作成した評価式、評価装置１００での評価結果などを格納する機能を有する。図１８に示すように、データベース装置４００は、当該データベース装置を統括的に制御するＣＰＵ等の制御部４０２と、ルータ等の通信装置および専用線等の有線または無線の通信回路を介して当該データベース装置をネットワーク３００に通信可能に接続する通信インターフェース部４０４と、各種のデータベースやテーブルやファイル（例えばＷｅｂページ用ファイル）などを格納する記憶部４０６と、入力装置４１２や出力装置４１４に接続する入出力インターフェース部４０８と、で構成されており、これら各部は任意の通信路を介して通信可能に接続されている。
【０１１６】
記憶部４０６は、ストレージ手段であり、例えば、ＲＡＭ・ＲＯＭ等のメモリ装置や、ハードディスクのような固定ディスク装置や、フレキシブルディスクや、光ディスク等を用いることができる。記憶部４０６には、各種処理に用いる各種プログラム等を格納する。通信インターフェース部４０４は、データベース装置４００とネットワーク３００（またはルータ等の通信装置）との間における通信を媒介する。すなわち、通信インターフェース部４０４は、他の端末と通信回線を介してデータを通信する機能を有する。入出力インターフェース部４０８は、入力装置４１２や出力装置４１４に接続する。ここで、出力装置４１４には、モニタ（家庭用テレビを含む）の他、スピーカやプリンタを用いることができる（なお、以下で、出力装置４１４をモニタ４１４として記載する場合がある。）。また、入力装置４１２には、キーボードやマウスやマイクの他、マウスと協働してポインティングデバイス機能を実現するモニタを用いることができる。
【０１１７】
制御部４０２は、ＯＳ（Ｏｐｅｒａｔｉｎｇ  Ｓｙｓｔｅｍ）等の制御プログラム・各種の処理手順等を規定したプログラム・所要データなどを格納するための内部メモリを有し、これらのプログラムに基づいて種々の情報処理を実行する。制御部４０２は、図示の如く、大別して、要求解釈部４０２ａと閲覧処理部４０２ｂと認証処理部４０２ｃと電子メール生成部４０２ｄとＷｅｂページ生成部４０２ｅと送信部４０２ｆとを備えている。
【０１１８】
要求解釈部４０２ａは、評価装置１００からの要求内容を解釈し、その解釈結果に応じて制御部４０２の各部に処理を受け渡す。閲覧処理部４０２ｂは、評価装置１００からの各種画面の閲覧要求を受けて、これら画面のＷｅｂデータの生成や送信を行う。認証処理部４０２ｃは、評価装置１００からの認証要求を受けて、認証判断を行う。電子メール生成部４０２ｄは、各種の情報を含んだ電子メールを生成する。Ｗｅｂページ生成部４０２ｅは、利用者がクライアント装置２００で閲覧するＷｅｂページを生成する。送信部４０２ｆは、指標状態情報や評価式などの各種情報を、評価装置１００へ送信する。
【０１１９】
［２−３．第２実施形態の具体例］
ここでは、第２実施形態の具体例について説明する。
【０１２０】
まず、Ｗｅｂブラウザ２１１を表示した画面上で利用者が入力装置２５０を介して評価装置１００が提供するＷｅｂサイトのアドレス（ＵＲＬなど）を指定すると、クライアント装置２００は評価装置１００へアクセスする。具体的には、利用者がクライアント装置２００のＷｅｂブラウザ２１１の画面更新を指示すると、Ｗｅｂブラウザ２１１は、評価装置１００が提供するＷｅｂサイトのアドレスを所定の通信規約で評価装置１００へ送信することで、アミノ酸濃度データ送信画面に対応するＷｅｂページの送信要求を、当該アドレスに基づくルーティングで評価装置１００へ行う。
【０１２１】
つぎに、評価装置１００は、要求解釈部１０２ａで、クライアント装置２００からの送信を受け、当該送信の内容を解析し、解析結果に応じて制御部１０２の各部に処理を移す。具体的には、送信の内容がアミノ酸濃度データ送信画面に対応するＷｅｂページの送信要求であった場合、評価装置１００は、主として閲覧処理部１０２ｂで、記憶部１０６の所定の記憶領域に格納されている当該Ｗｅｂページを表示するためのＷｅｂデータを取得し、取得したＷｅｂデータをクライアント装置２００へ送信する。より具体的には、利用者からアミノ酸濃度データ送信画面に対応するＷｅｂページの送信要求があった場合、評価装置１００は、まず、制御部１０２で、利用者ＩＤや利用者パスワードの入力を利用者に対して求める。そして、利用者ＩＤやパスワードが入力されると、評価装置１００は、認証処理部１０２ｃで、入力された利用者ＩＤやパスワードと利用者情報ファイル１０６ａに格納されている利用者ＩＤや利用者パスワードとの認証判断を行う。そして、評価装置１００は、認証可の場合にのみ、閲覧処理部１０２ｂで、アミノ酸濃度データ送信画面に対応するＷｅｂページを表示するためのＷｅｂデータをクライアント装置２００へ送信する。なお、クライアント装置２００の特定は、クライアント装置２００から送信要求と共に送信されたＩＰアドレスで行う。
【０１２２】
つぎに、クライアント装置２００は、評価装置１００から送信されたＷｅｂデータ（アミノ酸濃度データ送信画面に対応するＷｅｂページを表示するためのもの）を受信部２１３で受信し、受信したＷｅｂデータをＷｅｂブラウザ２１１で解釈し、モニタ２６１にアミノ酸濃度データ送信画面を表示する。
【０１２３】
つぎに、モニタ２６１に表示されたアミノ酸濃度データ送信画面に対し利用者が入力装置２５０を介して個体のアミノ酸濃度データなどを入力・選択すると、クライアント装置２００は、送信部２１４で、入力情報や選択事項を特定するための識別子を評価装置１００へ送信することで、個体のアミノ酸濃度データを評価装置１００へ送信する（ステップＳＡ２１）。なお、ステップＳＡ２１におけるアミノ酸濃度データの送信は、ＦＴＰ等の既存のファイル転送技術等により実現してもよい。
【０１２４】
つぎに、評価装置１００は、要求解釈部１０２ａで、クライアント装置２００から送信された識別子を解釈することによりクライアント装置２００の要求内容を解釈し、評価式の送信要求をデータベース装置４００へ行う。
【０１２５】
つぎに、データベース装置４００は、要求解釈部４０２ａで、評価装置１００からの送信要求を解釈し、記憶部４０６の所定の記憶領域に格納した評価式（例えばアップデートされた最新のもの）を評価装置１００へ送信する（ステップＳＡ２２）。具体的には、ステップＳＡ２２では、１つまたは複数の評価式（例えば、ロジスティック回帰式、分数式、線形判別式、重回帰式、サポートベクターマシンで作成された式、マハラノビス距離法で作成された式、正準判別分析で作成された式、決定木で作成された式のいずれか１つ）を評価装置１００へ送信する。
【０１２６】
つぎに、評価装置１００は、受信部１０２ｆで、クライアント装置２００から送信された個体のアミノ酸濃度データ、および、データベース装置４００から送信された評価式を受信し、受信したアミノ酸濃度データをアミノ酸濃度データファイル１０６ｂの所定の記憶領域に格納すると共に、受信した評価式を評価式ファイル１０６ｅ４の所定の記憶領域に格納する（ステップＳＡ２３）。
【０１２７】
つぎに、評価装置１００は、制御部１０２で、ステップＳＡ２３で受信した個体のアミノ酸濃度データから欠損値や外れ値などのデータを除去する（ステップＳＡ２４）。
【０１２８】
つぎに、評価部１０２ｉは、算出部１０２ｉ１で、ステップＳＡ２４で欠損値や外れ値などのデータが除去された個体のアミノ酸濃度データ、および、ステップＳＡ２３で受信した評価式の値を算出する（ステップＳＡ２５）。
【０１２９】
つぎに、評価部１０２ｉは、ステップＳＡ２５で算出した評価式の値を用いて、個体についての将来の生活習慣病リスクを推定したり、分類部１０２ｉ４で、ステップＳＡ２５で算出した評価式の値（評価値）及び予め設定された閾値を用いて、個体を、将来の生活習慣病リスクの程度を少なくとも考慮して定義された複数の区分のうちのどれか１つに分類したりし、そして、得られた推定結果および分類結果を含む評価結果を評価結果ファイル１０６ｆの所定の記憶領域に格納する（ステップＳＡ２６）。
【０１３０】
評価装置１００は、送信部１０２ｋで、ステップＳＡ２６で得た評価結果を、アミノ酸濃度データの送信元のクライアント装置２００とデータベース装置４００とへ送信する（ステップＳＡ２７）。具体的には、まず、評価装置１００は、Ｗｅｂページ生成部１０２ｅで、評価結果を表示するためのＷｅｂページを作成し、作成したＷｅｂページに対応するＷｅｂデータを記憶部１０６の所定の記憶領域に格納する。ついで、利用者がクライアント装置２００のＷｅｂブラウザ２１１に入力装置２５０を介して所定のＵＲＬを入力し上述した認証を経た後、クライアント装置２００は、当該Ｗｅｂページの閲覧要求を評価装置１００へ送信する。ついで、評価装置１００は、閲覧処理部１０２ｂで、クライアント装置２００から送信された閲覧要求を解釈し、評価結果を表示するためのＷｅｂページに対応するＷｅｂデータを記憶部１０６の所定の記憶領域から読み出す。そして、評価装置１００は、送信部１０２ｋで、読み出したＷｅｂデータをクライアント装置２００へ送信すると共に、当該Ｗｅｂデータ又は評価結果をデータベース装置４００へ送信する。
【０１３１】
ここで、ステップＳＡ２７において、評価装置１００は、制御部１０２で、評価結果を電子メールで利用者のクライアント装置２００へ通知してもよい。具体的には、まず、評価装置１００は、電子メール生成部１０２ｄで、利用者ＩＤなどを基にして利用者情報ファイル１０６ａに格納されている利用者情報を送信タイミングに従って参照し、利用者の電子メールアドレスを取得する。ついで、評価装置１００は、電子メール生成部１０２ｄで、取得した電子メールアドレスを宛て先とし利用者の氏名および評価結果を含む電子メールに関するデータを生成する。ついで、評価装置１００は、送信部１０２ｋで、生成した当該データを利用者のクライアント装置２００へ送信する。
【０１３２】
また、ステップＳＡ２７において、評価装置１００は、ＦＴＰ等の既存のファイル転送技術等で、評価結果を利用者のクライアント装置２００へ送信してもよい。
【０１３３】
データベース装置４００は、制御部４０２で、評価装置１００から送信された評価結果またはＷｅｂデータを受信し、受信した評価結果またはＷｅｂデータを記憶部４０６の所定の記憶領域に保存（蓄積）する（ステップＳＡ２８）。
【０１３４】
また、クライアント装置２００は、受信部２１３で、評価装置１００から送信されたＷｅｂデータを受信し、受信したＷｅｂデータをＷｅｂブラウザ２１１で解釈し、個体の評価結果が記されたＷｅｂページの画面をモニタ２６１に表示する（ステップＳＡ２９）。なお、評価結果が評価装置１００から電子メールで送信された場合には、クライアント装置２００は、電子メーラ２１２の公知の機能で、評価装置１００から送信された電子メールを任意のタイミングで受信し、受信した電子メールをモニタ２６１に表示する。
【０１３５】
以上により、利用者は、モニタ２６１に表示されたＷｅｂページを閲覧することで、評価結果を確認することができる。なお、利用者は、モニタ２６１に表示されたＷｅｂページの表示内容をプリンタ２６２で印刷してもよい。
【０１３６】
また、評価結果が評価装置１００から電子メールで送信された場合には、利用者は、モニタ２６１に表示された電子メールを閲覧することで、評価結果を確認することができる。利用者は、モニタ２６１に表示された電子メールの表示内容をプリンタ２６２で印刷してもよい。
【０１３７】
以上、詳細に説明したように、クライアント装置２００は個体のアミノ酸濃度データを評価装置１００へ送信し、データベース装置４００は評価装置１００からの要求を受けて、評価式を評価装置１００へ送信する。そして、評価装置１００は、（ｉ）クライアント装置２００からアミノ酸濃度データを受信すると共にデータベース装置４００から評価式を受信し、（ｉｉ）受信したアミノ酸濃度データ及び評価式を用いて評価値を算出し、（ｉｉｉ）算出した評価値を用いて、個体についての将来の生活習慣病リスクを推定したり、算出した評価値および閾値を用いて、個体を将来の生活習慣病リスクに関する複数の区分のうちのどれか１つに分類したり、（ｉｖ）得られた評価結果をクライアント装置２００やデータベース装置４００へ送信する。そして、クライアント装置２００は評価装置１００から送信された評価結果を受信して表示し、データベース装置４００は評価装置１００から送信された評価結果を受信して格納する。
【０１３８】
なお、本説明では、評価装置１００が、アミノ酸濃度データの受信から、評価式の値の算出、将来の生活習慣病リスクの推定、個体の区分への分類、そして評価結果の送信までを実行し、クライアント装置２００が評価結果の受信を実行するケースを例として挙げたが、クライアント装置２００に評価部２１０ａが備えられている場合は、評価装置１００は評価式の値の算出を実行すれば十分であり、例えば評価式の値の変換、位置情報の生成、将来の生活習慣病リスクの推定、及び、個体の区分への分類などは、評価装置１００とクライアント装置２００とで適宜分担して実行してもよい。
例えば、クライアント装置２００は、評価装置１００から式の値を受信した場合には、評価部２１０ａは、変換部２１０ａ２で式の値を変換したり、式の値又は変換後の値を用いて将来の生活習慣病リスクを推定したり、生成部２１０ａ３で式の値又は変換後の値に対応する位置情報を生成したり、分類部２１０ａ４で式の値又は変換後の値を用いて個体を将来の生活習慣病リスクに関する複数の区分のうちのどれか１つに分類したりしてもよい。
また、クライアント装置２００は、評価装置１００から変換後の値を受信した場合には、評価部２１０ａは、変換後の値を用いて将来の生活習慣病リスクを推定したり、生成部２１０ａ３で変換後の値に対応する位置情報を生成したり、分類部２１０ａ４で変換後の値を用いて個体を将来の生活習慣病リスクに関する複数の区分のうちのどれか１つに分類したりしてもよい。
また、クライアント装置２００は、評価装置１００から式の値又は変換後の値と位置情報とを受信した場合には、評価部２１０ａは、式の値又は変換後の値を用いて将来の生活習慣病リスクを推定したり、分類部２１０ａ４で式の値又は変換後の値を用いて個体を将来の生活習慣病リスクに関する複数の区分のうちのどれか１つに分類したりしてもよい。
【０１３９】
［２−４．他の実施形態］
本発明にかかる評価装置、評価方法、評価プログラム、評価システム、および端末装置は、上述した第２実施形態以外にも、特許請求の範囲に記載した技術的思想の範囲内において種々の異なる実施形態にて実施されてよいものである。
【０１４０】
また、第２実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４１】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１４２】
また、評価装置１００に関して、図示の各構成要素は機能概念的なものであり、必ずしも物理的に図示の如く構成されていることを要しない。
【０１４３】
例えば、評価装置１００が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、情報処理装置に本発明にかかる評価方法を実行させるためのプログラム化された命令を含む一時的でないコンピュータ読み取り可能な記録媒体に記録されており、必要に応じて評価装置１００に機械的に読み取られる。すなわち、ＲＯＭまたはＨＤＤなどの記憶部１０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４４】
また、このコンピュータプログラムは評価装置１００に対して任意のネットワークを介して接続されたアプリケーションプログラムサーバに記憶されていてもよく、必要に応じてその全部または一部をダウンロードすることも可能である。
【０１４５】
また、本発明にかかる評価プログラムを、一時的でないコンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ（登録商標）、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１４６】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【０１４７】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１４８】
また、評価装置１００は、既知のパーソナルコンピュータまたはワークステーション等の情報処理装置として構成してもよく、また、任意の周辺装置が接続された当該情報処理装置として構成してもよい。また、評価装置１００は、当該情報処理装置に本発明の評価方法を実現させるソフトウェア（プログラムまたはデータ等を含む）を実装することにより実現してもよい。
【０１４９】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【０１５０】
最後に、評価装置１００で行う評価式作成処理の一例について図１９を参照して詳細に説明する。なお、ここで説明する処理はあくまでも一例であり、評価式の作成方法はこれに限定されない。図１９は評価式作成処理の一例を示すフローチャートである。なお、当該評価式作成処理は、指標状態情報を管理するデータベース装置４００で行ってもよい。
【０１５１】
なお、本説明では、評価装置１００は、データベース装置４００から事前に取得した指標状態情報を、指標状態情報ファイル１０６ｃの所定の記憶領域に格納しているものとする。また、評価装置１００は、指標状態情報指定部１０２ｇで事前に指定した生活習慣病指標データおよびアミノ酸濃度データ（前記２１種のアミノ酸の濃度値を含むもの）を含む指標状態情報を、指定指標状態情報ファイル１０６ｄの所定の記憶領域に格納しているものとする。
【０１５２】
まず、評価式作成部１０２ｈは、候補式作成部１０２ｈ１で、指定指標状態情報ファイル１０６ｄの所定の記憶領域に格納されている指標状態情報から所定の式作成手法に基づいて候補式を作成し、作成した候補式を候補式ファイル１０６ｅ１の所定の記憶領域に格納する（ステップＳＢ２１）。具体的には、まず、評価式作成部１０２ｈは、候補式作成部１０２ｈ１で、複数の異なる式作成手法（主成分分析や判別分析、サポートベクターマシン、重回帰分析、ロジスティック回帰分析、ｋ−ｍｅａｎｓ法、クラスター解析、決定木などの多変量解析に関するものを含む。）の中から所望のものを１つ選択し、選択した式作成手法に基づいて、作成する候補式の形（式の形）を決定する。つぎに、評価式作成部１０２ｈは、候補式作成部１０２ｈ１で、指標状態情報に基づいて、選択した式選択手法に対応する種々（例えば平均や分散など）の計算を実行する。つぎに、評価式作成部１０２ｈは、候補式作成部１０２ｈ１で、計算結果および決定した候補式のパラメータを決定する。これにより、選択した式作成手法に基づいて候補式が作成される。なお、複数の異なる式作成手法を併用して候補式を同時並行（並列）的に作成する場合は、選択した式作成手法ごとに上記の処理を並行して実行すればよい。また、複数の異なる式作成手法を併用して候補式を直列的に作成する場合は、例えば、主成分分析を行って作成した候補式を利用して指標状態情報を変換し、変換した指標状態情報に対して判別分析を行うことで候補式を作成してもよい。
【０１５３】
つぎに、評価式作成部１０２ｈは、候補式検証部１０２ｈ２で、ステップＳＢ２１で作成した候補式を所定の検証手法に基づいて検証（相互検証）し、検証結果を検証結果ファイル１０６ｅ２の所定の記憶領域に格納する（ステップＳＢ２２）。具体的には、評価式作成部１０２ｈは、候補式検証部１０２ｈ２で、指定指標状態情報ファイル１０６ｄの所定の記憶領域に格納されている指標状態情報に基づいて候補式を検証する際に用いる検証用データを作成し、作成した検証用データに基づいて候補式を検証する。なお、ステップＳＢ２１で複数の異なる式作成手法を併用して候補式を複数作成した場合には、評価式作成部１０２ｈは、候補式検証部１０２ｈ２で、各式作成手法に対応する候補式ごとに所定の検証手法に基づいて検証する。ここで、ステップＳＢ２２において、ブートストラップ法やホールドアウト法、Ｎ−フォールド法、リーブワンアウト法などのうち少なくとも１つに基づいて候補式の判別率や感度、特異度、情報量基準、ＲＯＣ＿ＡＵＣ（受信者特性曲線の曲線下面積）などのうち少なくとも１つに関して検証してもよい。これにより、指標状態情報や評価条件を考慮した予測性または頑健性の高い候補式を選択することができる。
【０１５４】
つぎに、評価式作成部１０２ｈは、変数選択部１０２ｈ３で、所定の変数選択手法に基づいて、候補式の変数を選択することで、候補式を作成する際に用いる指標状態情報に含まれるアミノ酸濃度データの組み合わせを選択し、選択したアミノ酸濃度データの組み合わせを含む指標状態情報を選択指標状態情報ファイル１０６ｅ３の所定の記憶領域に格納する（ステップＳＢ２３）。なお、ステップＳＢ２１で複数の異なる式作成手法を併用して候補式を複数作成し、ステップＳＢ２２で各式作成手法に対応する候補式ごとに所定の検証手法に基づいて検証した場合には、ステップＳＢ２３において、評価式作成部１０２ｈは、変数選択部１０２ｈ３で、候補式ごとに所定の変数選択手法に基づいて候補式の変数を選択してもよい。ここで、ステップＳＢ２３において、検証結果からステップワイズ法、ベストパス法、近傍探索法、遺伝的アルゴリズムのうち少なくとも１つに基づいて候補式の変数を選択してもよい。なお、ベストパス法とは、候補式に含まれる変数を１つずつ順次減らしていき、候補式が与える評価指標を最適化することで変数を選択する方法である。また、ステップＳＢ２３において、評価式作成部１０２ｈは、変数選択部１０２ｈ３で、指定指標状態情報ファイル１０６ｄの所定の記憶領域に格納されている指標状態情報に基づいてアミノ酸濃度データの組み合わせを選択してもよい。
【０１５５】
つぎに、評価式作成部１０２ｈは、指定指標状態情報ファイル１０６ｄの所定の記憶領域に格納されている指標状態情報に含まれるアミノ酸濃度データの全ての組み合わせが終了したか否かを判定し、判定結果が「終了」であった場合（ステップＳＢ２４：Ｙｅｓ）には次のステップ（ステップＳＢ２５）へ進み、判定結果が「終了」でなかった場合（ステップＳＢ２４：Ｎｏ）にはステップＳＢ２１へ戻る。なお、評価式作成部１０２ｈは、予め設定した回数が終了したか否かを判定し、判定結果が「終了」であった場合には（ステップＳＢ２４：Ｙｅｓ）次のステップ（ステップＳＢ２５）へ進み、判定結果が「終了」でなかった場合（ステップＳＢ２４：Ｎｏ）にはステップＳＢ２１へ戻ってもよい。また、評価式作成部１０２ｈは、ステップＳＢ２３で選択したアミノ酸濃度データの組み合わせが、指定指標状態情報ファイル１０６ｄの所定の記憶領域に格納されている指標状態情報に含まれるアミノ酸濃度データの組み合わせまたは前回のステップＳＢ２３で選択したアミノ酸濃度データの組み合わせと同じであるか否かを判定し、判定結果が「同じ」であった場合（ステップＳＢ２４：Ｙｅｓ）には次のステップ（ステップＳＢ２５）へ進み、判定結果が「同じ」でなかった場合（ステップＳＢ２４：Ｎｏ）にはステップＳＢ２１へ戻ってもよい。また、評価式作成部１０２ｈは、検証結果が具体的には各候補式に関する評価値である場合には、当該評価値と各式作成手法に対応する所定の閾値との比較結果に基づいて、ステップＳＢ２５へ進むかステップＳＢ２１へ戻るかを判定してもよい。
【０１５６】
つぎに、評価式作成部１０２ｈは、検証結果に基づいて、複数の候補式の中から評価式として採用する候補式を選出することで評価式を決定し、決定した評価式（選出した候補式）を評価式ファイル１０６ｅ４の所定の記憶領域に格納する（ステップＳＢ２５）。ここで、ステップＳＢ２５において、例えば、同じ式作成手法で作成した候補式の中から最適なものを選出する場合と、すべての候補式の中から最適なものを選出する場合とがある。
【０１５７】
これにて、評価式作成処理の説明を終了する。
【実施例１】
【０１５８】
人間ドックで測定された受診者の背景データと、人間ドックで採取された血液サンプル中のアミノ酸濃度データを取得した（計７６８５人）。血液中アミノ酸濃度の正規分布化及び偏差値化を行うために、下記の手法を実施した。まず、７６８５人（男性４６９４人、女性２９９１人）の人間ドック受診者の中から、学会のガイドライン等に基づいた以下の適合条件により３８８５人（男性１９７０人、女性１９１５人）の基準個体群を選出した。具体的には（１）慢性疾患で定期的に薬物治療を受けている者、（２）検査診断上の異常レベル、貧血、炎症に該当する者（具体的には、検査値に関する以下の条件のうち少なくとも１つを満たす者）、（３）血漿中アミノ酸濃度が４ＳＤ（標準偏差）以上高値、あるいは低値である者、を除外して基準個体群とした。この３８８５人の男女別のアミノ酸濃度データの分布は下記のようになった。
ＴＰの検査値が、６．３ｇ／ｄｌ以下又は８．４ｇ／ｄｌ以上である。
Ａｌｂの検査値が、３．７ｇ／ｄｌ以下又は５．３ｇ／ｄｌ以上である。
Ｔ−Ｂｉｌの検査値が、２．０ｍｇ／ｄｌ以上である。
ＷＢＣの検査値が、１．５×１０３／ｍｍ３以下である。
ＲＢＣの検査値が、３３０×１０４／ｍｍ３以下である。
Ｈｂの検査値が、１０ｇ／ｄｌ以下である。
ＭＣＶの検査値が、７０ｆｌ以下である。
ＵＡの検査値が、１．５ｍｇ／ｄｌ以下又は９．０ｍｇ／ｄｌ以上である。
ＴＧの検査値が、３００ｍｇ／ｄｌ以上である。
Ｔ−ｃｈｏの検査値が、３００ｍｇ／ｄｌ以上である。
Ｇｌｕｃｏｓｅの検査値が、１２１ｍｇ／ｄｌ以上である。
γＧＴの検査値が、１００Ｕ／Ｌ以上である。
ＡＬＴの検査値が、６０Ｕ／Ｌ以上である。
ＣＫの検査値が、３５０Ｕ／Ｌ以上である。
ＣＲＰの検査値が、０．８ｍｇ／ｄｌ以上である。
ＢＭＩの検査値が、１４以下又は３０以上である。【０１５９】
【表１】
2016056631.tif 000003
（単位はμＭ）【０１６０】
【表２】
2016056631.tif 000004
（単位はμＭ）【０１６１】
アミノ酸濃度は必ずしも正規分布になっていないため、各アミノ酸ごとに男女別にＢｏｘ−Ｃｏｘ変換を行い正規分布に変換した。下記Ｂｏｘ−Ｃｏｘ変換式に示すλの値は、最尤法により算出した。【０１６２】
【数１】
2016056631.tif 000005
【０１６３】
その後、平均５０、標準偏差１０となるように変換し、各アミノ酸濃度ごと、男女別にアミノ酸濃度を偏差値（アミノ酸濃度偏差値）に変換する式を求めた。
【実施例２】
【０１６４】
人間ドックで採取された受診者の血液サンプルと、人間ドックで測定された受診者のＯＧＴＴの１２０分時の血糖値を取得した（計６５０人）。人間ドックで採取された受診者の血液サンプルと、人間ドックで行われた腹部ＣＴ画像診断において計測された受診者の内臓脂肪面積値とを取得した（計６５０人）。人間ドックで採取された受診者の血液サンプルと、人間ドックで行われた超音波検査による脂肪肝についての診断結果（脂肪肝である（４６５名）又は脂肪肝ではない（１５３５人）という診断結果）とを取得した（計２０００人）。【０１６５】
「ＧｌｙとＴｙｒとＡｓｎとＡｌａの４つのアミノ酸」と、１９種のアミノ酸（Ａｌａ，Ａｒｇ，Ａｓｎ，Ｃｉｔ，Ｇｌｎ，Ｇｌｙ，Ｈｉｓ，Ｉｌｅ，Ｌｅｕ，Ｌｙｓ，Ｍｅｔ，Ｏｒｎ，Ｐｈｅ，Ｐｒｏ，Ｓｅｒ，Ｔｈｒ，Ｔｒｐ，Ｔｙｒ，Ｖａｌ）から当該４つのアミノ酸を除いた１５種のアミノ酸から、変数網羅法を用いて、内臓脂肪面積値についての相関の観点で選択された「２つのアミノ酸」とを変数として含み、且つ、共変量（年齢）の尤度比検定におけるｐ値が０．０５より大きい複数の重回帰式から、自由度調整済み決定係数が最も高い重回帰式を選んだ結果、下記指標式１が選ばれた。「ＧｌｙとＴｙｒとＡｓｎとＡｌａの４つのアミノ酸」と、上記１５種のアミノ酸から、変数網羅法を用いて、脂肪肝であるか否かを判別する観点で選択された「２つのアミノ酸」とを変数として含み、且つ、共変量（年齢）の尤度比検定におけるｐ値が０．０５より大きい複数のロジスティック回帰式から、赤池情報量規準が最も低いロジスティック回帰式を選んだ結果、下記指標式２が選ばれた。【０１６６】
指標式１：「ａ１×Ａｓｎ＋ｂ１×Ｇｌｙ＋ｃ１×Ａｌａ＋ｄ１×Ｖａｌ＋ｅ１×Ｔｙｒ＋ｆ１×Ｔｒｐ＋ｇ１」
指標式２：「ａ２×Ａｓｎ＋ｂ２×Ｇｌｙ＋ｃ２×Ａｌａ＋ｄ２×Ｃｉｔ＋ｅ２×Ｌｅｕ＋ｆ２×Ｔｙｒ＋ｇ２」
※指標式１において、ａ１，ｂ１，ｃ１，ｄ１，ｅ１，ｆ１はゼロではない実数であり、ｇ１は実数である。
※指標式２において、ａ２，ｂ２，ｃ２，ｄ２，ｅ２，ｆ２はゼロではない実数であり、ｇ３は実数である。
【実施例３】
【０１６７】
人間ドックを５年連続で受診した者（４２９７人）を対象とした。対象となった受診者から、下記１．から４１．に示す疾患イベントごとに、初年時点で疾患イベントを発生していない受診者を抽出した。疾患イベントごとに、抽出した受診者のアミノ酸濃度をもとに、アミノ酸濃度偏差値及び上記指標式１，２の値（関数値）を算出した。【０１６８】
各アミノ酸濃度について、アミノ酸濃度偏差値が平均値−２ＳＤ未満の場合（アミノ酸濃度偏差値＜３０の場合）、アミノ酸低値（例えば、Ｇｌｕ低値）と定義し、平均値＋２ＳＤより高い場合（アミノ酸濃度偏差値＞７０の場合）、アミノ酸高値（例えば、Ｇｌｕ高値）とそれぞれ定義した。また、必須アミノ酸（Ｖａｌ、Ｌｅｕ、Ｉｌｅ、Ｐｈｅ、Ｈｉｓ、Ｔｈｒ、Ｌｙｓ，Ｍｅｔ，Ｔｒｐ）に準必須アミノ酸であるＡｒｇを加えた１０種類のアミノ酸のうち、少なくとも一つのアミノ酸濃度偏差値が平均値−２ＳＤ未満の場合（アミノ酸濃度偏差値＜３０）、必須アミノ酸低値と定義し、少なくとも一つのアミノ酸濃度偏差値が平均値＋２ＳＤより高い場合（アミノ酸濃度偏差値＞７０）、必須アミノ酸高値とそれぞれ定義した。【０１６９】
下記４１種の疾患イベントごとに、ロジスティック回帰により検査後４年以内のイベント発症に関するオッズ比を算出した。アミノ酸濃度偏差値については、１ＳＤ上昇することによるオッズ比のｐ値が０．０５未満のもの全てを算出した。アミノ酸低値、アミノ酸高値、必須アミノ酸低値、必須アミノ酸高値については、それぞれの群に該当するか否かによるオッズ比が１以上でかつオッズ比のｐ値が０．０５未満のものを算出した。指標式１，２については、関数値が１上昇することによるオッズ比が１以上でかつオッズ比のｐ値が０．０５未満のものを算出した。【０１７０】
１．高血圧症
※収縮期血圧が１４０ｍｍＨｇ以上である又は拡張期血圧が９０ｍｍＨｇ以上である場合に、高血圧症と診断される。
２．脂肪肝
※腹部超音波検査にて肝腎コントラスト比より脂肪肝の所見が観察された場合に、脂肪肝と診断される。
３．高リスク脂肪肝
※脂肪肝と診断され且つＡＳＴ（ＧＯＴ）が３８Ｕ／Ｌより高値である場合に、高リスク脂肪肝と診断される。
４．糖尿病
※下記項目１〜３のいずれかと項目４が確認された場合に、糖尿病と診断される。
項目１：早朝空腹時血糖値が１２６ｍｇ／ｄＬ以上
項目２：７５ｇＯＧＴＴ１２０分時の血糖値が２００ｍｇ／ｄＬ以上
項目３：随時血糖値が２００ｍｇ／ｄＬ以上
項目４：ＨｂＡ１Ｃ（ＪＤＳ値）が６．１％以上［ＨｂＡ１Ｃ（国際標準値）が６．５％以上］
５．耐糖能異常
※７５ｇＯＧＴＴ１２０分時の血糖値が１４０ｍｇ／ｄｌ以上且つ１９９ｍｇ／ｄｌ以下である場合に、耐糖能異常と診断される。【０１７１】
６．肥満
※「ウエストが、男性の場合で８５ｃｍ以上、女性の場合で９０ｃｍ以上である」（内臓脂肪面積値が１００ｃｍ２以上になっていることの目安）又は「ＢＭＩが２５以上である」場合に、肥満と診断される。
７．高度肥満
※ＢＭＩが３０以上である場合に、高度肥満と診断される。
８．脂質異常症
※「トリグリセライド（ＴＧ）が１５０ｍｇ／ｄＬ以上である、ＨＤＬコレステロールが４０ｍｇ／ｄＬ未満である、又はＬＤＬコレステロールが１４０ｍｇ／ｄＬ以上である」場合に、脂質異常症と診断される。
９．慢性腎症
※推算糸球体濾過量（ｅＧＦＲ）が６０未満である場合に、慢性腎症と診断される。
１０．動脈硬化症
※動脈硬化症ドックにて硬化の所見が観察された場合、動脈硬化症と診断される。【０１７２】
１１．脳梗塞
※頭部ＭＲＩ，ＭＲＡ検査により脳梗塞の所見が観察された場合、脳梗塞と診断される。
１２．心疾患リスクあり
※ミネソタコードが正常範囲外の場合、心疾患リスクありと診断される。
１３．メタボリックシンドローム
※下記項目１に該当する場合において、さらに下記項目２から４のうちの少なくとも２つに該当するときに、メタボリックシンドロームと診断される。
項目１：「ウエストが、男性の場合で８５ｃｍ以上、女性の場合で９０ｃｍ以上である」（内臓脂肪面積値が１００ｃｍ２以上になっていることの目安）又は「ＢＭＩが２５以上である」
項目２：「中性脂肪（トリグリセライド）が１５０ｍｇ／ｄｌ以上である」及び／又は「ＨＤＬコレステロールが４０ｍｇ／ｄｌ未満である」
項目３：「収縮期血圧が１３０ｍｍＨｇ以上である」及び／又は「拡張期血圧が８５ｍｍＨｇ以上である」
項目４：空腹時血糖が１１０ｍｇ／ｄｌ以上である。
１４．交感神経リスク
心拍数が９０/分以上の場合、もしくは好中球比率が７９％以上の場合交感神経疾患リスクがあると判定する。
１５．炎症性疾患リスク
ＣＲＰ値が０．３ｍｇ／ｄｌ以上の場合、炎症性疾患リスクがあると判定する。【０１７３】
１６．貧血リスク
男性の場合、血色素量が１３．５ｇ／ｄｌ以下、もしくはヘマトクリット値が３９．８％以下、もしくは赤血球数が４２７×１０４／ｍｍ３以下のとき、女性の場合、血色素量が１１．３ｇ／ｄｌ以下、もしくはヘマトクリット値が３３．４％以下、もしくは赤血球数が３７６×１０４／ｍｍ３以下、もしくは血清鉄が４８μｇ／ｄｌ以下のとき、貧血リスクがあると判定する。
１７．タンパク栄養不良リスク
血中アルブミンが４ｍｇ／ｄｌ未満、あるいは血中総タンパクが６．７ｍｇ／ｄｌ未満の場合、タンパク栄養不良リスクがあると判定する。
１８．免疫低下リスク
リンパ球比率が２５％以下の場合、免疫低下リスクがあると判定する。
１９．体格（肥満体格）リスク
当該項目の人間ドックの判定結果が、「日常生活上、注意を要する」、または「要治療」、または「要精密検査」、または「治療継続」の場合、リスクがあると判定する。
２０．呼吸器疾患リスク
当該項目の人間ドックの判定結果が、「日常生活上、注意を要する」、または「要治療」、または「要精密検査」、または「治療継続」の場合、リスクがあると判定する。【０１７４】
２１．循環器疾患リスク
当該項目の人間ドックの判定結果が、「日常生活上、注意を要する」、または「要治療」、または「要精密検査」、または「治療継続」の場合、リスクがあると判定する。
２２．高血圧リスク
当該項目の人間ドックの判定結果が、「日常生活上、注意を要する」、または「要治療」、または「要精密検査」、または「治療継続」の場合、リスクがあると判定する。
２３．腎・尿路疾患リスク
当該項目の人間ドックの判定結果が、「日常生活上、注意を要する」、または「要治療」、または「要精密検査」、または「治療継続」の場合、リスクがあると判定する。
２４．胃・腸疾患リスク
当該項目の人間ドックの判定結果が、「日常生活上、注意を要する」、または「要治療」、または「要精密検査」、または「治療継続」の場合、リスクがあると判定する。
２５．肝臓疾患リスク
当該項目の人間ドックの判定結果が、「日常生活上、注意を要する」、または「要治療」、または「要精密検査」、または「治療継続」の場合、リスクがあると判定する。【０１７５】
２６．胆・膵疾患リスク
当該項目の人間ドックの判定結果が、「日常生活上、注意を要する」、または「要治療」、または「要精密検査」、または「治療継続」の場合、リスクがあると判定する。
２７．糖代謝疾患リスク
当該項目の人間ドックの判定結果が、「日常生活上、注意を要する」、または「要治療」、または「要精密検査」、または「治療継続」の場合、リスクがあると判定する。
２８．脂質代謝疾患リスク
当該項目の人間ドックの判定結果が、「日常生活上、注意を要する」、または「要治療」、または「要精密検査」、または「治療継続」の場合、リスクがあると判定する。
２９．尿酸代謝疾患リスク
当該項目の人間ドックの判定結果が、「日常生活上、注意を要する」、または「要治療」、または「要精密検査」、または「治療継続」の場合、リスクがあると判定する。
３０．血液疾患リスク
当該項目の人間ドックの判定結果が、「日常生活上、注意を要する」、または「要治療」、または「要精密検査」、または「治療継続」の場合、リスクがあると判定する。【０１７６】
３１．血清疾患リスク
当該項目の人間ドックの判定結果が、「日常生活上、注意を要する」、または「要治療」、または「要精密検査」、または「治療継続」の場合、リスクがあると判定する。
３２．眼科疾患リスク
当該項目の人間ドックの判定結果が、「日常生活上、注意を要する」、または「要治療」、または「要精密検査」、または「治療継続」の場合、リスクがあると判定する。
３３．聴力異常
当該項目の人間ドックの判定結果が、「日常生活上、注意を要する」、または「要治療」、または「要精密検査」、または「治療継続」の場合、リスクがあると判定する。
３４．泌尿器系疾患リスク
当該項目の人間ドックの判定結果が、「日常生活上、注意を要する」、または「要治療」、または「要精密検査」、または「治療継続」の場合、リスクがあると判定する。
３５．腫瘍マーカー高値
当該項目の人間ドックの判定結果が、「日常生活上、注意を要する」、または「要治療」、または「要精密検査」、または「治療継続」の場合、リスクがあると判定する。【０１７７】
３６．婦人科系疾患リスク
当該項目の人間ドックの判定結果が、「日常生活上、注意を要する」、または「要治療」、または「要精密検査」、または「治療継続」の場合、リスクがあると判定する。
３７．乳房疾患リスク
当該項目の人間ドックの判定結果が、「日常生活上、注意を要する」、または「要治療」、または「要精密検査」、または「治療継続」の場合、リスクがあると判定する。
３８．脳疾患リスク
当該項目の人間ドックの判定結果が、「日常生活上、注意を要する」、または「要治療」、または「要精密検査」、または「治療継続」の場合、リスクがあると判定する。
３９．動脈硬化症リスク
当該項目の人間ドックの判定結果が、「日常生活上、注意を要する」、または「要治療」、または「要精密検査」、または「治療継続」の場合、リスクがあると判定する。
４０．骨塩量低下リスク
当該項目の人間ドックの判定結果が、「日常生活上、注意を要する」、または「要治療」、または「要精密検査」、または「治療継続」の場合、リスクがあると判定する。【０１７８】
４１．その他疾患リスク
当該項目の人間ドックの判定結果が、「日常生活上、注意を要する」、または「要治療」、または「要精密検査」、または「治療継続」の場合、リスクがあると判定する。【０１７９】
図２０から図３４に、背景因子の調整を行わなかった場合のオッズ比、およびその９５%信頼区間下限、９５%信頼区間上限、オッズ比のｐ値をそれぞれ記載した（ｐ＜０．０５）。
図３５から図４９に、背景因子として性別の調整を行った場合のオッズ比、およびその９５%信頼区間下限、９５%信頼区間上限、オッズ比のｐ値をそれぞれ記載した（ｐ＜０．０５）。
図５０から図６３に、背景因子として年齢の調整を行った場合のオッズ比、およびその９５%信頼区間下限、９５%信頼区間上限、オッズ比のｐ値をそれぞれ記載した（ｐ＜０．０５）。
図６４から図７４に、背景因子としてＢＭＩの調整を行った場合のオッズ比、およびその９５%信頼区間下限、９５%信頼区間上限、オッズ比のｐ値をそれぞれ記載した（ｐ＜０．０５）。
図７５から図８８に、背景因子として性別および年齢の調整を行った場合のオッズ比、およびその９５%信頼区間下限、９５%信頼区間上限、オッズ比のｐ値をそれぞれ記載した（ｐ＜０．０５）。
図８９から図９９に、背景因子として性別およびＢＭＩの調整を行った場合のオッズ比、およびその９５%信頼区間下限、９５%信頼区間上限、オッズ比のｐ値をそれぞれ記載した（ｐ＜０．０５）。
図１００から図１０８に、背景因子として年齢およびＢＭＩの調整を行った場合のオッズ比、およびその９５%信頼区間下限、９５%信頼区間上限、オッズ比のｐ値をそれぞれ記載した（ｐ＜０．０５）。
図１０９から図１１７に、背景因子として性別および年齢およびＢＭＩの調整を行った場合のオッズ比、およびその９５%信頼区間下限、９５%信頼区間上限、オッズ比のｐ値をそれぞれ記載した（ｐ＜０．０５）。【０１８０】
図２０から図１１７に示すように、多くのアミノ酸の濃度、および指標式１，２の値は上記生活習慣病のリスクと有意に関連することが認められ、これらの情報を総合的に用いることでヒトの生活習慣病リスクを個別化された形で評価することが可能であることが示された。
【実施例４】
【０１８１】
人間ドックで測定された受診者の背景データと、人間ドックで採取された血液サンプル中のアミノ酸濃度データを取得した（計７６８５人）。血液中アミノ酸濃度の正規分布化及び偏差値化を行うために、下記の手法を実施した。まず、７６８５人（男性４６９４人、女性２９９１人）の人間ドック受診者の中から、Ｙａｍａｍｏｔｏらの論文（Ａｎｎ  Ｃｌｉｎ  Ｂｉｏｃｈｅｍ，  ０００４５６３２１５５８３３６０，  ｆｉｒｓｔ  ｐｕｂｌｉｓｈｅｄ  ｏｎ  Ｍａｒｃｈ  ３１，  ２０１５）に基づいた適合条件により１８９０人（男性９０１人、女性９８９人）の基準個体群を選出した。具体的には（１）慢性疾患で定期的に薬物治療を受けている者、（２）検査診断上の異常レベル、貧血、炎症に該当する者（具体的には、検査値に関する以下の条件のうち少なくとも１つを満たす者）、（３）血漿中アミノ酸濃度が４ＳＤ（標準偏差）以上高値、あるいは低値である者、を除外して基準個体群とした。この１８９０人の男女別のアミノ酸濃度データの分布は下記のようになった。
Ａｌｂの検査値が、４．１ｇ／ｄｌ未満又は５．１ｇ／ｄｌを超える。
Ｈｂの検査値が、男性の場合は１３．５ｇ／ｄｌ未満又は１６．９ｇ／ｄｌを超える、女性の場合は１１．０ｇ／ｄｌ未満又は１４．８ｇ／ｄｌを超える。
ＭＣＶの検査値が、８２ｆｌ未満又は９８ｆｌを超える。
ＵＡの検査値が、男性の場合は３．８ｍｇ／ｄｌ未満又は８．０ｍｇ／ｄｌを超える、女性の場合は２．６ｍｇ／ｄｌ未満又は５．６ｍｇ／ｄｌを超える。
ＴＧの検査値が、男性の場合は４２ｍｇ／ｄｌ未満又は２２２ｍｇ／ｄｌを超える、女性の場合は３０ｍｇ／ｄｌ未満又は１２４ｍｇ／ｄｌを超える。
Ｇｌｕｃｏｓｅの検査値が、７６ｍｇ／ｄｌ未満又は１０６を超える。
γＧＴの検査値が、９Ｕ／Ｌ未満又は５５Ｕ／Ｌを超える。
ＡＬＴの検査値が、８Ｕ／Ｌ未満又は３３Ｕ／Ｌを超える。
ＣＫの検査値が、男性の場合は６１Ｕ／Ｌ未満又は２５７Ｕ／Ｌを超える、女性の場合は４３Ｕ／Ｌ未満又は１５７Ｕ／Ｌを超える。
ＣＲＰの検査値が、１．４ｍｇ／ｄｌを超える。
ＢＭＩの検査値が、１４以下又は３０以上である。【０１８２】
【表３】
2016056631.tif 000006
（単位はμＭ）【０１８３】
【表４】
2016056631.tif 000007
（単位はμＭ）【０１８４】
アミノ酸濃度は必ずしも正規分布になっていないため、各アミノ酸ごとに男女別にＢｏｘ−Ｃｏｘ変換を行い正規分布に変換した。下記Ｂｏｘ−Ｃｏｘ変換式に示すλの値は、最尤法により算出した。【０１８５】
【数２】
2016056631.tif 000008
【０１８６】
その後、平均５０、標準偏差１０となるように変換し、各アミノ酸濃度ごと、男女別にアミノ酸濃度を偏差値（アミノ酸濃度偏差値）に変換する式を求めた。
【実施例５】
【０１８７】
人間ドックを５年連続で受診した者（４２９７人）を対象とした。対象となった受診者から、下記１．から２８．に示す疾患イベントごとに、初年時点で疾患イベントを発生していない受診者を抽出した。疾患イベントごとに、抽出した受診者のアミノ酸濃度をもとに、アミノ酸濃度偏差値を算出した。【０１８８】
各アミノ酸濃度について、アミノ酸濃度偏差値が平均値−２ＳＤ未満の場合（アミノ酸濃度偏差値＜３０の場合）、アミノ酸低値（例えば、Ｇｌｕ低値）と定義し、平均値＋２ＳＤより高い場合（アミノ酸濃度偏差値＞７０の場合）、アミノ酸高値（例えば、Ｇｌｕ高値）とそれぞれ定義した。また、必須アミノ酸（Ｖａｌ、Ｌｅｕ、Ｉｌｅ、Ｐｈｅ、Ｈｉｓ、Ｔｈｒ、Ｌｙｓ，Ｍｅｔ，Ｔｒｐ）に準必須アミノ酸であるＡｒｇを加えた１０種類のアミノ酸のうち、少なくとも一つのアミノ酸濃度偏差値が平均値−２ＳＤ未満の場合（アミノ酸濃度偏差値＜３０）、必須アミノ酸低値と定義し、少なくとも一つのアミノ酸濃度偏差値が平均値＋２ＳＤより高い場合（アミノ酸濃度偏差値＞７０）、必須アミノ酸高値とそれぞれ定義した。【０１８９】
下記２８種の疾患イベントごとに、ロジスティック回帰により検査後４年以内のイベント発症に関するオッズ比を算出した。アミノ酸濃度偏差値については、１ＳＤ上昇することによるオッズ比のｐ値が０．０５未満のもの全てを算出した。アミノ酸低値、アミノ酸高値、必須アミノ酸低値、必須アミノ酸高値については、それぞれの群に該当するか否かによるオッズ比が１以上でかつオッズ比のｐ値が０．０５未満のものを算出した。指標式１，２については、関数値が１標準偏差上昇することによるオッズ比のｐ値が０．０５未満のものを算出した。【０１９０】
１．高血圧症
※収縮期血圧が１４０ｍｍＨｇ以上である又は拡張期血圧が９０ｍｍＨｇ以上である場合に、高血圧症と診断される。
２．脂肪肝
※腹部超音波検査にて肝腎コントラスト比より脂肪肝の所見が観察された場合に、脂肪肝と診断される。
３．高リスク脂肪肝
※脂肪肝と診断され且つＡＳＴ（ＧＯＴ）が３８Ｕ／Ｌより高値である場合に、高リスク脂肪肝と診断される。
４．糖尿病
※下記項目１〜３のいずれかと項目４が確認された場合に、糖尿病と診断される。
項目１：早朝空腹時血糖値が１２６ｍｇ／ｄＬ以上
項目２：７５ｇＯＧＴＴ１２０分時の血糖値が２００ｍｇ／ｄＬ以上
項目３：随時血糖値が２００ｍｇ／ｄＬ以上
項目４：ＨｂＡ１Ｃ（ＪＤＳ値）が６．１％以上［ＨｂＡ１Ｃ（国際標準値）が６．５％以上］
５．耐糖能異常
※７５ｇＯＧＴＴ１２０分時の血糖値が１４０ｍｇ／ｄｌ以上且つ１９９ｍｇ／ｄｌ以下である場合に、耐糖能異常と診断される。【０１９１】
６．肥満
※「ウエストが、男性の場合で８５ｃｍ以上、女性の場合で９０ｃｍ以上である」（内臓脂肪面積値が１００ｃｍ２以上になっていることの目安）又は「ＢＭＩが２５以上である」場合に、肥満と診断される。
７．高度肥満
※ＢＭＩが３０以上である場合に、高度肥満と診断される。
８．脂質異常症
※「トリグリセライド（ＴＧ）が１５０ｍｇ／ｄＬ以上である、ＨＤＬコレステロールが４０ｍｇ／ｄＬ未満である、又はＬＤＬコレステロールが１４０ｍｇ／ｄＬ以上である」場合に、脂質異常症と診断される。
９．慢性腎症
※推算糸球体濾過量（ｅＧＦＲ）が６０未満である場合に、慢性腎症と診断される。
１０．動脈硬化症
※動脈硬化症ドックにて硬化の所見が観察された場合、動脈硬化症と診断される。【０１９２】
１１．脳梗塞
※頭部ＭＲＩ，ＭＲＡ検査により脳梗塞の所見が観察された場合、脳梗塞と診断される。
１２．心疾患リスクあり
※ミネソタコードが正常範囲外の場合、心疾患リスクありと診断される。
１３．メタボリックシンドローム
※下記項目１に該当する場合において、さらに下記項目２から４のうちの少なくとも２つに該当するときに、メタボリックシンドロームと診断される。
項目１：「ウエストが、男性の場合で８５ｃｍ以上、女性の場合で９０ｃｍ以上である」（内臓脂肪面積値が１００ｃｍ２以上になっていることの目安）又は「ＢＭＩが２５以上である」
項目２：「中性脂肪（トリグリセライド）が１５０ｍｇ／ｄｌ以上である」及び／又は「ＨＤＬコレステロールが４０ｍｇ／ｄｌ未満である」
項目３：「収縮期血圧が１３０ｍｍＨｇ以上である」及び／又は「拡張期血圧が８５ｍｍＨｇ以上である」
項目４：空腹時血糖が１１０ｍｇ／ｄｌ以上である。
１４．交感神経リスク
心拍数が９０/分以上の場合、もしくは好中球比率が７９％以上の場合交感神経疾患リスクがあると判定する。
１５．炎症性疾患リスク
ＣＲＰ値が０．３ｍｇ／ｄｌ以上の場合、炎症性疾患リスクがあると判定する。【０１９３】
１６．貧血リスク
男性の場合、血色素量が１３．５ｇ／ｄｌ以下、もしくはヘマトクリット値が３９．８％以下、もしくは赤血球数が４２７×１０４／ｍｍ３以下のとき、女性の場合、血色素量が１１．３ｇ／ｄｌ以下、もしくはヘマトクリット値が３３．４％以下、もしくは赤血球数が３７６×１０４／ｍｍ３以下、もしくは血清鉄が４８μｇ／ｄｌ以下のとき、貧血リスクがあると判定する。
１７．タンパク栄養不良リスク
血中アルブミンが４ｍｇ／ｄｌ未満、あるいは血中総タンパクが６．７ｍｇ／ｄｌ未満の場合、タンパク栄養不良リスクがあると判定する。
１８．免疫低下リスク
リンパ球比率が２５％以下の場合、免疫低下リスクがあると判定する。
１９．心筋梗塞
心電図の検査結果に心筋梗塞の所見が観察された場合、心筋梗塞ありと診断される。
２０．心房細動
心電図の検査結果に心房細動の所見が観察された場合、心房細動ありと診断される。【０１９４】
２１．期外収縮
心電図の検査結果に期外収縮の所見が観察された場合、期外収縮ありと診断される。
２２．不整脈
心電図の検査結果に心房細動もしくは期外収縮の所見が観察された場合、不整脈ありと診断される。
２３．高血圧リスク
当該項目の人間ドックの判定結果が、「日常生活上、注意を要する」、または「要治療」、または「要精密検査」、または「治療継続」の場合、リスクがあると判定する。
２４．腎・尿路疾患リスク
当該項目の人間ドックの判定結果が、「日常生活上、注意を要する」、または「要治療」、または「要精密検査」、または「治療継続」の場合、リスクがあると判定する。
２５．胆・膵疾患リスク
当該項目の人間ドックの判定結果が、「日常生活上、注意を要する」、または「要治療」、または「要精密検査」、または「治療継続」の場合、リスクがあると判定する。【０１９５】
２６．泌尿器系疾患リスク
当該項目の人間ドックの判定結果が、「日常生活上、注意を要する」、または「要治療」、または「要精密検査」、または「治療継続」の場合、リスクがあると判定する。
２７．腫瘍マーカー高値
当該項目の人間ドックの判定結果が、「日常生活上、注意を要する」、または「要治療」、または「要精密検査」、または「治療継続」の場合、リスクがあると判定する。
２８．脳疾患リスク
当該項目の人間ドックの判定結果が、「日常生活上、注意を要する」、または「要治療」、または「要精密検査」、または「治療継続」の場合、リスクがあると判定する。【０１９６】
図１１８に、アミノ酸濃度偏差値および指標式１，２の値と上記２８種の疾患イベントとの各組み合わせについて、“以下の８つの場合の少なくとも１つ以上で、オッズ比のｐ値が０．０５未満である”という条件を満たすか否かの結果（０：満たさない、１：満たす）を示した。
・背景因子の調整を行わなかった場合
・背景因子として性別の調整を行った場合
・背景因子として年齢の調整を行った場合
・背景因子としてＢＭＩの調整を行った場合
・背景因子として性別および年齢の調整を行った場合
・背景因子として性別およびＢＭＩの調整を行った場合
・背景因子として年齢およびＢＭＩの調整を行った場合
・背景因子として性別、年齢およびＢＭＩの調整を行った場合【０１９７】
図１１９から図１２４に、アミノ酸濃度偏差値および指標式１，２の値と上記２８種の疾患イベントとの各組み合わせのうち、オッズ比のｐ値が０．０５未満となった組み合わせについて、オッズ比およびその９５%信頼区間（上限と下限）をそれぞれ記載した。なお、図１１９から図１２４に記載されている各数値は、上記８つの場合のそれぞれに対応するものである。【０１９８】
図１２５に、アミノ酸低値に該当するアミノ酸濃度偏差値および必須アミノ酸低値に該当するアミノ酸濃度偏差値と上記２８種の疾患イベントの各組み合わせについて、“上記８つの場合の少なくとも１つ以上で、オッズ比のｐ値が０．０５未満で且つオッズ比の値が１を超える”という条件を満たすか否かの結果（０：満たさない、１：満たす）を示した。【０１９９】
図１２６から図１２８に、アミノ酸低値に該当するアミノ酸濃度偏差値および必須アミノ酸低値に該当するアミノ酸濃度偏差値と上記２８種の疾患イベントとの各組み合わせのうち、オッズ比のｐ値が０．０５未満で且つオッズ比の値が１を超えた組み合わせについて、オッズ比およびその９５%信頼区間（上限と下限）をそれぞれ記載した。なお、図１２６から図１２８に記載されている各数値は、上記８つの場合のそれぞれに対応するものである。【０２００】
図１２９に、アミノ酸高値に該当するアミノ酸濃度偏差値および必須アミノ酸高値に該当するアミノ酸濃度偏差値と上記２８種の疾患イベントの各組み合わせについて、“上記８つの場合の少なくとも１つ以上で、オッズ比のｐ値が０．０５未満で且つオッズ比の値が１を超える”という条件を満たすか否かの結果（０：満たさない、１：満たす）を示した。【０２０１】
図１３０から図１３２に、アミノ酸高値に該当するアミノ酸濃度偏差値および必須アミノ酸高値に該当するアミノ酸濃度偏差値と上記２８種の疾患イベントとの各組み合わせのうち、オッズ比のｐ値が０．０５未満で且つオッズ比の値が１を超えた組み合わせについて、オッズ比およびその９５%信頼区間（上限と下限）をそれぞれ記載した。なお、図１３０から図１３２に記載されている各数値は、上記８つの場合のそれぞれに対応するものである。【０２０２】
図１１８から図１３２に示すように、多くのアミノ酸の濃度、および指標式１，２の値は上記生活習慣病のリスクと有意に関連することが認められ、これらの情報を総合的に用いることでヒトの生活習慣病リスクを個別化された形で評価することが可能であることが示された。
【実施例６】
【０２０３】
人間ドックを５年連続で受診した者（４２９７人）を対象とした。対象となった受診者から、下記１．から２４．に示すメタボリックシンドロームに起因する疾患イベントごとに、初年時点で疾患イベントを発生していない受診者を抽出した。疾患イベントごとに、初年度以降の当該疾患の発症有無を目的変数とした。上記１９種のアミノ酸濃度を説明変数とし、変数網羅法を用いて使用するアミノ酸変数の個数を２個または３個としてコックス回帰によりモデル選択を行った。更に、得られたコックス回帰式の関数値を説明変数として、当該関数値の１標準偏差の増加に対応するオッズ比を、被験者の年齢及び性別を共変量としたロジスティック回帰により算出した。このとき得られた年齢及び性別調整済みのオッズ比が「ｐ＜０．０５」で有意になるようなモデルを疾患イベントごとに抽出した。【０２０４】
１．高血圧症
※収縮期血圧が１４０ｍｍＨｇ以上である又は拡張期血圧が９０ｍｍＨｇ以上である場合に、高血圧症と診断される。
２．脂肪肝
※腹部超音波検査にて肝腎コントラスト比より脂肪肝の所見が観察された場合に、脂肪肝と診断される。
３．高リスク脂肪肝
※脂肪肝と診断され且つＡＳＴ（ＧＯＴ）が３８Ｕ／Ｌより高値である場合に、高リスク脂肪肝と診断される。
４．糖尿病
※下記項目１〜３のいずれかと項目４が確認された場合に、糖尿病と診断される。
項目１：早朝空腹時血糖値が１２６ｍｇ／ｄＬ以上
項目２：７５ｇＯＧＴＴ１２０分時の血糖値が２００ｍｇ／ｄＬ以上
項目３：随時血糖値が２００ｍｇ／ｄＬ以上
項目４：ＨｂＡ１Ｃ（ＪＤＳ値）が６．１％以上［ＨｂＡ１Ｃ（国際標準値）が６．５％以上］
５．耐糖能異常
※７５ｇＯＧＴＴ１２０分時の血糖値が１４０ｍｇ／ｄｌ以上且つ１９９ｍｇ／ｄｌ以下である場合に、耐糖能異常と診断される。【０２０５】
６．肥満
※「ウエストが、男性の場合で８５ｃｍ以上、女性の場合で９０ｃｍ以上である」（内臓脂肪面積値が１００ｃｍ２以上になっていることの目安）又は「ＢＭＩが２５以上である」場合に、肥満と診断される。
７．高度肥満
※ＢＭＩが３０以上である場合に、高度肥満と診断される。
８．脂質異常症
※「トリグリセライド（ＴＧ）が１５０ｍｇ／ｄＬ以上である、ＨＤＬコレステロールが４０ｍｇ／ｄＬ未満である、又はＬＤＬコレステロールが１４０ｍｇ／ｄＬ以上である」場合に、脂質異常症と診断される。
９．慢性腎症
※推算糸球体濾過量（ｅＧＦＲ）が６０未満である場合に、慢性腎症と診断される。
１０．動脈硬化症
※動脈硬化症ドックにて硬化の所見が観察された場合、動脈硬化症と診断される。【０２０６】
１１．脳梗塞
※頭部ＭＲＩ，ＭＲＡ検査により脳梗塞の所見が観察された場合、脳梗塞と診断される。
１２．心疾患リスクあり
※ミネソタコードが正常範囲外の場合、心疾患リスクありと診断される。
１３．メタボリックシンドローム
※下記項目１に該当する場合において、さらに下記項目２から４のうちの少なくとも２つに該当するときに、メタボリックシンドロームと診断される。
項目１：「ウエストが、男性の場合で８５ｃｍ以上、女性の場合で９０ｃｍ以上である」（内臓脂肪面積値が１００ｃｍ２以上になっていることの目安）又は「ＢＭＩが２５以上である」
項目２：「中性脂肪（トリグリセライド）が１５０ｍｇ／ｄｌ以上である」及び／又は「ＨＤＬコレステロールが４０ｍｇ／ｄｌ未満である」
項目３：「収縮期血圧が１３０ｍｍＨｇ以上である」及び／又は「拡張期血圧が８５ｍｍＨｇ以上である」
項目４：空腹時血糖が１１０ｍｇ／ｄｌ以上である。
１４．体格リスク
当該項目の人間ドックの判定結果が、「日常生活上、注意を要する」、または「要治療」、または「要精密検査」、または「治療継続」の場合、リスクがあると判定する。
１５．循環器疾患リスク
当該項目の人間ドックの判定結果が、「日常生活上、注意を要する」、または「要治療」、または「要精密検査」、または「治療継続」の場合、リスクがあると判定する。【０２０７】
１６．高血圧リスク
当該項目の人間ドックの判定結果が、「日常生活上、注意を要する」、または「要治療」、または「要精密検査」、または「治療継続」の場合、リスクがあると判定する。
１７．腎・尿路疾患リスク
当該項目の人間ドックの判定結果が、「日常生活上、注意を要する」、または「要治療」、または「要精密検査」、または「治療継続」の場合、リスクがあると判定する。
１８．肝臓疾患リスク
当該項目の人間ドックの判定結果が、「日常生活上、注意を要する」、または「要治療」、または「要精密検査」、または「治療継続」の場合、リスクがあると判定する。
１９．胆・膵疾患リスク
当該項目の人間ドックの判定結果が、「日常生活上、注意を要する」、または「要治療」、または「要精密検査」、または「治療継続」の場合、リスクがあると判定する。
２０．糖代謝疾患リスク
当該項目の人間ドックの判定結果が、「日常生活上、注意を要する」、または「要治療」、または「要精密検査」、または「治療継続」の場合、リスクがあると判定する。【０２０８】
２１．脂質代謝疾患リスク
当該項目の人間ドックの判定結果が、「日常生活上、注意を要する」、または「要治療」、または「要精密検査」、または「治療継続」の場合、リスクがあると判定する。
２２．尿酸代謝疾患リスク
当該項目の人間ドックの判定結果が、「日常生活上、注意を要する」、または「要治療」、または「要精密検査」、または「治療継続」の場合、リスクがあると判定する。
２３．脳疾患リスク
当該項目の人間ドックの判定結果が、「日常生活上、注意を要する」、または「要治療」、または「要精密検査」、または「治療継続」の場合、リスクがあると判定する。
２４．動脈硬化症リスク
当該項目の人間ドックの判定結果が、「日常生活上、注意を要する」、または「要治療」、または「要精密検査」、または「治療継続」の場合、リスクがあると判定する。【０２０９】
図１３３および図１３４に、３個のアミノ酸変数からなるアミノ酸セット、及び、アミノ酸セットと疾患イベントとの組み合わせに対するオッズ比を記載した。なお、図中に記載した各アミノ酸セットは、背景因子として年齢及び性別の調整を行ったときに、上記２４種類の疾患イベントのうち１９種類以上との組み合わせにおいてオッズ比のｐ値が０．０５未満となったものである。また、図中に記載したオッズ比は、年齢及び性別調整済みのものである。【０２１０】
図１３５および図１３６に、２個のアミノ酸変数からなるアミノ酸セット、及び、アミノ酸セットと疾患イベントとの組み合わせに対するオッズ比を記載した。なお、図中に記載した各アミノ酸セットは、背景因子として年齢及び性別の調整を行ったときに、上記２４種類の疾患イベントのうち１８種類以上との組み合わせにおいてオッズ比のｐ値が０．０５未満となったものである。また、図中に記載したオッズ比は、年齢及び性別調整済みのものである。【０２１１】
図１３７に、各アミノ酸の図１３３〜１３６における出現頻度と各図における出現率を記載した。
【実施例７】
【０２１２】
人間ドックを５年連続で受診した者（４２９７人）を対象とした。対象となった受診者から、下記１．から８．に示すアミノ酸低栄養に起因する疾患イベントごとに、初年時点で疾患イベントを発生していない受診者を抽出した。疾患イベントごとに、初年度以降の当該疾患の発症有無を目的変数とした。上記１９種のアミノ酸濃度を説明変数とし、変数網羅法を用いて使用するアミノ酸変数の個数を２個または３個としてコックス回帰によりモデル選択を行った。更に、得られたコックス回帰式の関数値を説明変数として、当該関数値の１標準偏差の増加に対応するオッズ比を、被験者の年齢及び性別を共変量としたロジスティック回帰により算出した。このとき得られた年齢及び性別調整済みのオッズ比が「ｐ＜０．０５」で有意になるようなモデルを疾患イベントごとに抽出した。【０２１３】
１．交感神経リスク
心拍数が９０/分以上の場合、もしくは好中球比率が７９％以上の場合交感神経疾患リスクがあると判定する。
２．炎症性疾患リスク
ＣＲＰ値が０．３ｍｇ／ｄｌ以上の場合、炎症性疾患リスクがあると判定する。
３．貧血リスク
男性の場合、血色素量が１３．５ｇ／ｄｌ以下、もしくはヘマトクリット値が３９．８％以下、もしくは赤血球数が４２７×１０４／ｍｍ３以下のとき、女性の場合、血色素量が１１．３ｇ／ｄｌ以下、もしくはヘマトクリット値が３３．４％以下、もしくは赤血球数が３７６×１０４／ｍｍ３以下、もしくは血清鉄が４８μｇ／ｄｌ以下のとき、貧血リスクがあると判定する。
４．タンパク栄養不良リスク
血中アルブミンが４ｍｇ／ｄｌ未満、あるいは血中総タンパクが６．７ｍｇ／ｄｌ未満の場合、タンパク栄養不良リスクがあると判定する。
５．免疫低下リスク
リンパ球比率が２５％以下の場合、免疫低下リスクがあると判定する。【０２１４】
６．血液疾患リスク
当該項目の人間ドックの判定結果が、「日常生活上、注意を要する」、または「要治療」、または「要精密検査」、または「治療継続」の場合、リスクがあると判定する。
７．血清疾患リスク
当該項目の人間ドックの判定結果が、「日常生活上、注意を要する」、または「要治療」、または「要精密検査」、または「治療継続」の場合、リスクがあると判定する。
８．骨塩量低下リスク
当該項目の人間ドックの判定結果が、「日常生活上、注意を要する」、または「要治療」、または「要精密検査」、または「治療継続」の場合、リスクがあると判定する。【０２１５】
図１３８に、３個のアミノ酸変数からなるアミノ酸セット、及び、アミノ酸セットと疾患イベントとの組み合わせに対するオッズ比を記載した。なお、図中に記載した各アミノ酸セットは、背景因子として年齢及び性別の調整を行ったときに、上記８種類の疾患イベントのうち７種類以上との組み合わせにおいてオッズ比のｐ値が０．０５未満となったものである。また、図中に記載したオッズ比は、年齢及び性別調整済みのものである。【０２１６】
図１３９に、２個のアミノ酸変数からなるアミノ酸セット、及び、アミノ酸セットと疾患イベントとの組み合わせに対するオッズ比を記載した。なお、図中に記載した各アミノ酸セットは、背景因子として年齢及び性別の調整を行ったときに、上記８種類の疾患イベントのうち６種類以上との組み合わせにおいてオッズ比のｐ値が０．０５未満となったものである。また、図中に記載したオッズ比は、年齢及び性別調整済みのものである。【０２１７】
図１４０に、各アミノ酸の図１３８〜１３９における出現頻度と各図における出現率を記載した。
【産業上の利用可能性】
【０２１８】
以上のように、本発明にかかる評価方法などは、産業上の多くの分野、特に医薬品や食品、医療などの分野で広く実施することができ、特に将来の生活習慣病リスクの評価などにおいて極めて有用である。
【符号の説明】
【０２１９】
１００  評価装置
１０２  制御部
１０２ａ  要求解釈部
１０２ｂ  閲覧処理部
１０２ｃ  認証処理部
１０２ｄ  電子メール生成部
１０２ｅ  Ｗｅｂページ生成部
１０２ｆ  受信部
１０２ｇ  指標状態情報指定部
１０２ｈ  評価式作成部
１０２ｈ１  候補式作成部
１０２ｈ２  候補式検証部
１０２ｈ３  変数選択部
１０２ｉ  評価部
１０２ｉ１  算出部
１０２ｉ２  変換部
１０２ｉ３  生成部
１０２ｉ４  分類部
１０２ｊ  結果出力部
１０２ｋ  送信部
１０４  通信インターフェース部
１０６  記憶部
１０６ａ  利用者情報ファイル
１０６ｂ  アミノ酸濃度データファイル
１０６ｃ  指標状態情報ファイル
１０６ｄ  指定指標状態情報ファイル
１０６ｅ  評価式関連情報データベース
１０６ｅ１  候補式ファイル
１０６ｅ２  検証結果ファイル
１０６ｅ３  選択指標状態情報ファイル
１０６ｅ４  評価式ファイル
１０６ｆ  評価結果ファイル
１０８  入出力インターフェース部
１１２  入力装置
１１４  出力装置
２００  クライアント装置（端末装置（情報通信端末装置））
３００  ネットワーク
４００  データベース装置
【図１】
2016056631.tif 000009
【図２】
2016056631.tif 000010
【図３】
2016056631.tif 000011
【図４】
2016056631.tif 000012
【図５】
2016056631.tif 000013
【図６】
2016056631.tif 000014
【図７】
2016056631.tif 000015
【図８】
2016056631.tif 000016
【図９】
2016056631.tif 000017
【図１０】
2016056631.tif 000018
【図１１】
2016056631.tif 000019
【図１２】
2016056631.tif 000020
【図１３】
2016056631.tif 000021
【図１４】
2016056631.tif 000022
【図１５】
2016056631.tif 000023
【図１６】
2016056631.tif 000024
【図１７】
2016056631.tif 000025
【図１８】
2016056631.tif 000026
【図１９】
2016056631.tif 000027
【図２０】
2016056631.tif 000028
【図２１】
2016056631.tif 000029
【図２２】
2016056631.tif 000030
【図２３】
2016056631.tif 000031
【図２４】
2016056631.tif 000032
【図２５】
2016056631.tif 000033
【図２６】
2016056631.tif 000034
【図２７】
2016056631.tif 000035
【図２８】
2016056631.tif 000036
【図２９】
2016056631.tif 000037
【図３０】
2016056631.tif 000038
【図３１】
2016056631.tif 000039
【図３２】
2016056631.tif 000040
【図３３】
2016056631.tif 000041
【図３４】
2016056631.tif 000042
【図３５】
2016056631.tif 000043
【図３６】
2016056631.tif 000044
【図３７】
2016056631.tif 000045
【図３８】
2016056631.tif 000046
【図３９】
2016056631.tif 000047
【図４０】
2016056631.tif 000048
【図４１】
2016056631.tif 000049
【図４２】
2016056631.tif 000050
【図４３】
2016056631.tif 000051
【図４４】
2016056631.tif 000052
【図４５】
2016056631.tif 000053
【図４６】
2016056631.tif 000054
【図４７】
2016056631.tif 000055
【図４８】
2016056631.tif 000056
【図４９】
2016056631.tif 000057
【図５０】
2016056631.tif 000058
【図５１】
2016056631.tif 000059
【図５２】
2016056631.tif 000060
【図５３】
2016056631.tif 000061
【図５４】
2016056631.tif 000062
【図５５】
2016056631.tif 000063
【図５６】
2016056631.tif 000064
【図５７】
2016056631.tif 000065
【図５８】
2016056631.tif 000066
【図５９】
2016056631.tif 000067
【図６０】
2016056631.tif 000068
【図６１】
2016056631.tif 000069
【図６２】
2016056631.tif 000070
【図６３】
2016056631.tif 000071
【図６４】
2016056631.tif 000072
【図６５】
2016056631.tif 000073
【図６６】
2016056631.tif 000074
【図６７】
2016056631.tif 000075
【図６８】
2016056631.tif 000076
【図６９】
2016056631.tif 000077
【図７０】
2016056631.tif 000078
【図７１】
2016056631.tif 000079
【図７２】
2016056631.tif 000080
【図７３】
2016056631.tif 000081
【図７４】
2016056631.tif 000082
【図７５】
2016056631.tif 000083
【図７６】
2016056631.tif 000084
【図７７】
2016056631.tif 000085
【図７８】
2016056631.tif 000086
【図７９】
2016056631.tif 000087
【図８０】
2016056631.tif 000088
【図８１】
2016056631.tif 000089
【図８２】
2016056631.tif 000090
【図８３】
2016056631.tif 000091
【図８４】
2016056631.tif 000092
【図８５】
2016056631.tif 000093
【図８６】
2016056631.tif 000094
【図８７】
2016056631.tif 000095
【図８８】
2016056631.tif 000096
【図８９】
2016056631.tif 000097
【図９０】
2016056631.tif 000098
【図９１】
2016056631.tif 000099
【図９２】
2016056631.tif 000100
【図９３】
2016056631.tif 000101
【図９４】
2016056631.tif 000102
【図９５】
2016056631.tif 000103
【図９６】
2016056631.tif 000104
【図９７】
2016056631.tif 000105
【図９８】
2016056631.tif 000106
【図９９】
2016056631.tif 000107
【図１００】
2016056631.tif 000108
【図１０１】
2016056631.tif 000109
【図１０２】
2016056631.tif 000110
【図１０３】
2016056631.tif 000111
【図１０４】
2016056631.tif 000112
【図１０５】
2016056631.tif 000113
【図１０６】
2016056631.tif 000114
【図１０７】
2016056631.tif 000115
【図１０８】
2016056631.tif 000116
【図１０９】
2016056631.tif 000117
【図１１０】
2016056631.tif 000118
【図１１１】
2016056631.tif 000119
【図１１２】
2016056631.tif 000120
【図１１３】
2016056631.tif 000121
【図１１４】
2016056631.tif 000122
【図１１５】
2016056631.tif 000123
【図１１６】
2016056631.tif 000124
【図１１７】
2016056631.tif 000125
【図１１８】
2016056631.tif 000126
【図１１９】
2016056631.tif 000127
【図１２０】
2016056631.tif 000128
【図１２１】
2016056631.tif 000129
【図１２２】
2016056631.tif 000130
【図１２３】
2016056631.tif 000131
【図１２４】
2016056631.tif 000132
【図１２５】
2016056631.tif 000133
【図１２６】
2016056631.tif 000134
【図１２７】
2016056631.tif 000135
【図１２８】
2016056631.tif 000136
【図１２９】
2016056631.tif 000137
【図１３０】
2016056631.tif 000138
【図１３１】
2016056631.tif 000139
【図１３２】
2016056631.tif 000140
【図１３３−１】
2016056631.tif 000141
【図１３３−２】
2016056631.tif 000142
【図１３４−１】
2016056631.tif 000143
【図１３４−２】
2016056631.tif 000144
【図１３５】
2016056631.tif 000145
【図１３６】
2016056631.tif 000146
【図１３７】
2016056631.tif 000147
【図１３８−１】
2016056631.tif 000148
【図１３８−２】
2016056631.tif 000149
【図１３９】
2016056631.tif 000150
【図１４０】
2016056631.tif 000151
【国際調査報告】
2016056631.tif 000152
2016056631.tif 000153